(57)【特許請求の範囲】
【請求項１】
判定対象となる原稿から紙幣・有価証券等の特殊原稿であるか否かを判定するための情報を、前記原稿を走査することにより検出し、前記検出した情報を用いて、前記原稿が前記特殊原稿であるか否かを判定する特殊原稿判定装置において、
前記走査の往路で、前記原稿が前記特殊原稿であるか否かを判定するための情報を検出する第１の検出手段と、
前記走査の復路で、前記第１の検出手段と異なる検出方法を用いて、前記原稿から前記特殊原稿であるか否かを判定するための情報を検出する第２の検出手段と、
前記第１または第２の検出手段の少なくとも一方で検出された情報に基づいて、前記原稿が前記特殊原稿であるか否かを判定する判定手段と、
を備えたことを特徴とする特殊原稿判定装置。
【請求項２】
前記第１または第２の検出手段の一方は、前記原稿にマイクロ波を照射して走査し、前記照射したマイクロ波の反射波を検出し、前記検出したマイクロ波の反射波を用いて前記原稿にすき込まれた金属繊維を検出することにより、前記原稿が前記特殊原稿であるか否かを判定するための情報を検出する金属繊維検出手段であり、
前記第１または第２の検出手段の他方は、前記原稿に光を照射して走査し、前記原稿から画像データを光学的に読み取り、前記読み取った画像データから特殊原稿を表す画像を検出することにより、前記原稿から前記特殊原稿であるか否かを判定するための情報を検出する特殊原稿画像検出手段であることを特徴とする請求項１に記載の特殊原稿判定装置。
【請求項３】
前記第１または第２の検出手段の一方は、金属繊維がすき込まれた前記特殊原稿にマイクロ波を照射した場合の反射波モデルを少なくとも一つ有し、前記原稿にマイクロ波を照射して走査し、前記照射したマイクロ波の反射波を検出し、前記検出した反射波と前記反射波モデルとの適合度を求め、求めた適合度が予め設定された閾値を超えるか否かを判定することにより、前記原稿が前記特殊原稿であるか否かを判定するための情報を検出する金属繊維検出手段であり、
前記第１または第２の検出手段の他方は、前記特殊原稿の画像を表した特殊原稿画像情報を少なくとも一つ有し、前記原稿に光を照射して走査し、前記原稿から画像データを光学的に読み取り、前記読み取った画像データと前記特殊原稿画像情報との適合度を求め、求めた適合度が予め設定された閾値を超えるか否かを判定することにより、前記原稿が前記特殊原稿であるか否かを判定するための情報を検出する特殊原稿画像検出手段であることを特徴とする請求項１に記載の特殊原稿判定装置。
【請求項４】
前記第１または第２の検出手段の一方は、前記原稿にマイクロ波を照射して走査し、前記照射したマイクロ波の反射波を検出し、前記検出したマイクロ波の反射波のレベルが予め設定された閾値を超えるか否かを判定することにより、前記原稿が前記特殊原稿であるか否かを判定するための情報を検出する金属繊維検出手段であり、
前記第１または第２の検出手段の他方は、前記特殊原稿の画像を表した特殊原稿画像情報を少なくとも一つ有し、前記原稿に光を照射して走査し、前記原稿から画像データを光学的に読み取り、前記読み取った画像データと前記特殊原稿画像情報との適合度を求め、求めた適合度が予め設定された閾値を超えるか否かを判定することにより、前記原稿が前記特殊原稿であるか否かを判定するための情報を検出する特殊原稿画像検出手段であることを特徴とする請求項１に記載の特殊原稿判定装置。
【請求項５】
前記第２の検出手段は、前記第１の検出手段が前記原稿の走査を開始してから所定の時間が経過した後に前記原稿の走査を開始することを特徴とする請求項１〜４のいずれか一つに記載の特殊原稿判定装置。
【請求項６】
前記所定の時間とは、少なくとも前記判定手段が前記第１の検出手段で検出された前記情報を用いて前記原稿が前記特殊原稿であるか否かの判定を終了するまでの時間であることを特徴とする請求項５に記載の特殊原稿判定装置。
【請求項７】
前記第１および第２の検出手段は、前記情報を検出するための検出モードとして第１の検出モードと前記第１の検出モードより高精度で前記情報の検出が可能な第２の検出モードとを有し、
前記第２の検出手段は、前記判定手段が前記第１の検出手段で検出された前記情報を用いて前記原稿が前記特殊原稿であると判定した場合に、前記第２の検出モードを用いて前記情報を検出することを特徴とする請求項１〜６のいずれか一つに記載の特殊原稿判定装置。
【請求項８】
前記第２の検出手段は、前記判定手段が前記第１の検出手段で検出された前記情報を用いて前記原稿が前記特殊原稿であるか否かの判定を終了した場合に前記情報を検出するための処理を中止し、前記判定手段が前記第１の検出手段で検出された前記情報を用いて前記原稿が前記特殊原稿であるか否かの判定を行うことが不可能な場合に前記情報を検出するための処理を行い、
前記判定手段は、前記第１の検出手段で検出された前記情報を用いて前記原稿が前記特殊原稿であるか否かの判定を行うことが不可能な場合に、前記第２の検出手段で検出された前記情報を用いて前記原稿が前記特殊原稿であるか否かを判定することを特徴とする請求項１〜６のいずれか一つに記載の特殊原稿判定装置。
【請求項９】
前記第１の検出手段が前記金属繊維検出手段であり、前記第２の検出手段が前記特殊原稿画像検出手段である場合に、前記原稿が前記特殊原稿であるか否かの判定を行うことが不可能な場合とは、前記第１の検出手段で前記原稿を覆う圧板に金属部材が用いられていることが検出された場合であることを特徴とする請求項８に記載の特殊原稿判定装置。
【請求項１０】
前記原稿が前記特殊原稿であるか否かの判定を行うことが不可能な場合とは、前記第１の検出手段に異常が発生した場合であることを特徴とする請求項８に記載の特殊原稿判定装置。
【請求項１１】
前記判定手段は、前記第１の検出手段で検出された前記情報に基づいて前記原稿が前記特殊原稿ではないと判定した場合に、さらに、前記第２の検出手段で検出された前記情報に基づいて前記原稿が前記特殊原稿であるか否かを判定することを特徴とする請求項１〜６のいずれか一つに記載の特殊原稿判定装置。
【請求項１２】
前記判定手段は、前記第１の検出手段で検出された前記情報に基づいて前記原稿が前記特殊原稿であると判定した場合に、さらに、前記第２の検出手段で検出された前記情報に基づいて前記原稿が前記特殊原稿であるか否かを判定することを特徴とする請求項１〜６のいずれか一つに記載の特殊原稿判定装置。
【請求項１３】
前記第１の検出手段が前記特殊原稿画像検出手段であり、前記第２の検出手段が前記金属繊維検出手段である場合に、前記第２の検出手段は、前記第１の検出手段で前記原稿が存在する領域を特定した後、特定した領域を走査して前記情報を検出することを特徴とする請求項１〜６のいずれか一つに記載の特殊原稿判定装置。
【請求項１４】
前記第１の検出手段が前記特殊原稿画像検出手段であり、前記第２の検出手段が前記金属繊維検出手段である場合に、前記第２の検出手段は、前記第１の検出手段で前記原稿を走査して前記特殊原稿に特有な画像が存在する領域を特定した後、特定した領域を走査して前記情報を検出することを特徴とする請求項１〜６のいずれか一つに記載の特殊原稿判定装置。
【請求項１５】
前記第１の検出手段が前記金属繊維検出手段であり、前記第２の検出手段が前記特殊原稿画像検出手段である場合に、前記第２の検出手段は、前記第１の検出手段で前記原稿を走査して前記原稿中にすき込まれた金属繊維の存在する領域を特定した後、特定した領域を走査して前記情報を検出することを特徴とする請求項１〜６のいずれか一つに記載の特殊原稿判定装置。
【請求項１６】
さらに、前記金属繊維検出手段および特殊原稿画像検出手段のいずれか一方または両方を前記特殊原稿か否かを判定するための情報を検出するための検出手段として選択する選択手段を備え、
前記金属繊維検出手段または／および特殊原稿画像検出手段は、前記閾値として前記選択手段の選択結果に応じて異なる値を用いることを特徴とする請求項３〜６のいずれか一つに記載の特殊原稿判定装置。
【請求項１７】
前記金属繊維検出手段は、前記適合度が第１の閾値を超えるか否かを判定し、
前記判定手段は、前記金属繊維検出手段で前記適合度が前記第１の閾値を超えると判定された場合に前記原稿が前記特殊原稿であると判定し、
前記特殊原稿画像検出手段は、前記金属繊維検出手段で前記適合度が前記第１の閾値を超えないと判定された場合に前記求めた適合度が第２の閾値を超えるか否かを判定し、
前記判定手段は、前記特殊原稿画像検出手段で前記適合度が前記第２の閾値を超えると判定された場合に前記原稿が前記特殊原稿であると判定し、
前記金属繊維検出手段は、前記特殊原稿画像検出手段で前記適合度が前記第２の閾値を超えないと判定された場合に前記求めた適合度が前記第１の閾値と異なる第３の閾値を超えるか否かを判定し、
前記判定手段は、前記金属繊維検出手段で前記適合度が前記第３の閾値を超えないと判定された場合に前記原稿が前記特殊原稿ではないと判定し、
前記特殊原稿画像検出手段は、前記金属繊維検出手段で前記適合度が前記第３の閾値を超えると判定された場合に前記求めた適合度が前記第２の閾値と異なる第４の閾値を超えるか否かを判定し、
前記判定手段は、前記特殊原稿画像検出手段で前記適合度が前記第４の閾値を超えると判定された場合に前記原稿が前記特殊原稿であると判定し、前記特殊原稿画像検出手段で前記適合度が前記第４の閾値を超えないと判定された場合に前記原稿が前記特殊原稿ではないと判定することを特徴とする請求項３に記載の特殊原稿判定装置。
【請求項１８】
前記金属繊維検出手段は、前記検出したマイクロ波の反射波のレベルが予め設定された第１の閾値を超えるか否かを判定し、
前記特殊原稿画像検出手段は、前記金属繊維検出手段で前記適合度が前記閾値を超えないと判定された場合に前記求めた適合度が第２の閾値を超えるか否かを判定し、
前記判定手段は、前記特殊原稿画像検出手段で前記適合度が前記第２の閾値を超えると判定された場合に前記原稿が前記特殊原稿であると判定し、前記特殊原稿画像検出手段で前記適合度が前記第２の閾値を超えないと判定された場合に前記原稿が前記特殊原稿ではないと判定し、
前記特殊原稿画像検出手段は、前記金属繊維検出手段で前記適合度が前記第１の閾値を超えると判定された場合に前記読み取った画像データと前記特殊原稿画像情報との適合度を求め、求めた適合度が前記第２の閾値と異なる第３の閾値を超えるか否かを判定し、
前記判定手段は、前記特殊原稿画像検出手段で前記適合度が前記第３の閾値を超えると判定された場合に前記原稿が前記特殊原稿であると判定し、前記特殊原稿画像検出手段で前記適合度が前記第３の閾値を超えないと判定された場合に前記原稿が前記特殊原稿ではないと判定することを特徴とする請求項４に記載の特殊原稿判定装置。
【発明の詳細な説明】
【０００１】
【発明の属する技術分野】
本発明は、紙幣・有価証券等の特殊原稿の違法複写を防止するための特殊原稿判定装置に関し、より詳細には、複数の方法を用いて判定対象となる原稿から特殊原稿であるか否かを判定するための情報を検出可能にし、複数の方法で検出された情報に基づいて原稿が特殊原稿であるか否かを判定することにより、特殊原稿であるか否かの判定精度の向上を図った特殊原稿判定装置に関する。
【０００２】
【従来の技術】
近年、画像処理技術・画像形成技術の向上によって、カラー複写機で複写したコピー紙幣と実際の紙幣とが容易に区別できないほど精巧に画像形成を行うことが可能になっている。このため、複写対象の原稿が紙幣・有価証券等の複製の禁止されている特殊原稿であるか否かを判定し、特殊原稿である場合に違法複写を禁止するようにした装置が開発されており、特殊原稿を判定する機能を搭載した複写機等の画像形成装置も提案されている。
【０００３】
上記特殊原稿として、それ自身が特殊原稿であることを示すために金属繊維がすき込まれたものがある。このような特殊原稿を通常の原稿と判別するには、特殊原稿中にすき込まれた金属繊維を検出すれば良い。そのため、金属繊維がすき込まれた特殊原稿を判定する機能を有した画像形成装置として、例えば原稿に対してマイクロ波を照射し、照射したマイクロ波の透過波または反射波を検出して、検出信号を出力するマイクロ波センサと、マイクロ波センサから出力された検出信号を入力し、この検出信号を用いて、原稿中に金属繊維がすき込まれているか否かを判定する信号判定部と、を備えたものが提案されている。
【０００４】
上記画像形成装置においてマイクロ波センサは、一般に、原稿に光を照射して走査するための露光照明ユニット等を備えるスキャナに設けられ、原稿台に載置された原稿上をスキャナと共に往復運動し、その往路にて金属繊維を検出するためのマイクロ波の照射および反射波の検出を行う。そして、信号判定部が、マイクロ波センサから出力された反射波の検出信号を入力し、入力した検出信号を用いて、原稿中に金属繊維がすき込まれているか否か判定し、原稿中に金属繊維がすき込まれていると判定された場合、原稿が金属繊維のすき込まれた紙幣、有価証券等の特殊原稿であると判定する。
【０００５】
【発明が解決しようとする課題】
しかしながら、上記従来の技術においては、マイクロ波センサのみを用いて原稿が特殊原稿であるか否かを判定するための情報、即ち原稿中に金属繊維がすき込まれているか否かを判定するための情報を検出するため、例えば、マイクロ波センサに異常がある場合や、マイクロ波センサでは原稿が特殊原稿であるか否かを判定するための情報を検出することが困難である場合においては、高い精度で原稿が特殊原稿であるか否かを判定することができないという問題があった。
【０００６】
本発明は上記に鑑みてなされたものであって、複数の方法を用いて判定対象となる原稿から特殊原稿であるか否かを判定するための情報を検出可能にし、複数の方法で検出された情報に基づいて、原稿が特殊原稿であるか否かを判定することにより、特殊原稿の判定精度の向上を図ること目的とする。
【０００７】
【課題を解決するための手段】
上記目的を達成するため、請求項１の特殊原稿判定装置にあっては、判定対象となる原稿から紙幣・有価証券等の特殊原稿であるか否かを判定するための情報を、前記原稿を走査することにより検出し、前記検出した情報を用いて、前記原稿が前記特殊原稿であるか否かを判定する特殊原稿判定装置において、前記走査の往路で、前記原稿が前記特殊原稿であるか否かを判定するための情報を検出する第１の検出手段と、前記走査の復路で、前記第１の検出手段と異なる検出方法を用いて、前記原稿から前記特殊原稿であるか否かを判定するための情報を検出する第２の検出手段と、前記第１または第２の検出手段の少なくとも一方で検出された情報に基づいて、前記原稿が前記特殊原稿であるか否かを判定する判定手段と、を備えたものである。
【０００８】
また、請求項２の特殊原稿判定装置にあっては、請求項１に記載の特殊原稿判定装置において、前記第１または第２の検出手段の一が、前記原稿にマイクロ波を照射して走査し、前記照射したマイクロ波の反射波を検出し、前記検出したマイクロ波の反射波を用いて前記原稿にすき込まれた金属繊維を検出することにより、前記原稿が前記特殊原稿であるか否かを判定するための情報を検出する金属繊維検出手段であり、前記第１または第２の検出手段の他方が、前記原稿に光を照射して走査し、前記原稿から画像データを光学的に読み取り、前記読み取った画像データから特殊原稿を表す画像を検出することにより、前記原稿から前記特殊原稿であるか否かを判定するための情報を検出する特殊原稿画像検出手段であるものである。
【０００９】
また、請求項３の特殊原稿判定装置にあっては、請求項１に記載の特殊原稿判定装置において、前記第１または第２の検出手段の一方が、金属繊維がすき込まれた前記特殊原稿にマイクロ波を照射した場合の反射波モデルを少なくとも一つ有し、前記原稿にマイクロ波を照射して走査し、前記照射したマイクロ波の反射波を検出し、前記検出した反射波と前記反射波モデルとの適合度を求め、求めた適合度が予め設定された閾値を超えるか否かを判定することにより、前記原稿が前記特殊原稿であるか否かを判定するための情報を検出する金属繊維検出手段であり、前記第１または第２の検出手段の他方が、前記特殊原稿の画像を表した特殊原稿画像情報を少なくとも一つ有し、前記原稿に光を照射して走査し、前記原稿から画像データを光学的に読み取り、前記読み取った画像データと前記特殊原稿画像情報との適合度を求め、求めた適合度が予め設定された閾値を超えるか否かを判定することにより、前記原稿が前記特殊原稿であるか否かを判定するための情報を検出する特殊原稿画像検出手段であるものである。
【００１０】
また、請求項４の特殊原稿判定装置にあっては、請求項１に記載の特殊原稿判定装置において、前記第１または第２の検出手段の一方が、前記原稿にマイクロ波を照射して走査し、前記照射したマイクロ波の反射波を検出し、前記検出したマイクロ波の反射波のレベルが予め設定された閾値を超えるか否かを判定することにより、前記原稿が前記特殊原稿であるか否かを判定するための情報を検出する金属繊維検出手段であり、前記第１または第２の検出手段の他方が、前記特殊原稿の画像を表した特殊原稿画像情報を少なくとも一つ有し、前記原稿に光を照射して走査し、前記原稿から画像データを光学的に読み取り、前記読み取った画像データと前記特殊原稿画像情報との適合度を求め、求めた適合度が予め設定された閾値を超えるか否かを判定することにより、前記原稿が前記特殊原稿であるか否かを判定するための情報を検出する特殊原稿画像検出手段であるものである。
【００１１】
また、請求項５の特殊原稿判定装置にあっては、請求項１〜４のいずれか一つに記載の特殊原稿判定装置において、前記第２の検出手段が、前記第１の検出手段が前記原稿の走査を開始してから所定の時間が経過した後に前記原稿の走査を開始するものである。
【００１２】
また、請求項６の特殊原稿判定装置にあっては、請求項５に記載の特殊原稿判定装置において、前記所定の時間とは、少なくとも前記判定手段が前記第１の検出手段で検出された前記情報を用いて前記原稿が前記特殊原稿であるか否かの判定を終了するまでの時間であるものである。
【００１４】
また、請求項７の特殊原稿判定装置にあっては、請求項１〜６のいずれか一つに記載の特殊原稿判定装置において、前記第１および第２の検出手段が、前記情報を検出するための検出モードとして第１の検出モードと前記第１の検出モードより高精度で前記情報の検出が可能な第２の検出モードとを有し、前記第２の検出手段が、前記判定手段が前記第１の検出手段で検出された前記情報を用いて前記原稿が前記特殊原稿であると判定した場合に、前記第２の検出モードを用いて前記情報を検出するものである。
【００１５】
また、請求項８の特殊原稿判定装置にあっては、請求項１〜６のいずれか一つに記載の特殊原稿判定装置において、前記第２の検出手段が、前記判定手段が前記第１の検出手段で検出された前記情報を用いて前記原稿が前記特殊原稿であるか否かの判定を終了した場合に前記情報を検出するための処理を中止し、前記判定手段が前記第１の検出手段で検出された前記情報を用いて前記原稿が前記特殊原稿であるか否かの判定を行うことが不可能な場合に前記情報を検出するための処理を行い、前記判定手段が、前記第１の検出手段で検出された前記情報を用いて前記原稿が前記特殊原稿であるか否かの判定を行うことが不可能な場合に、前記第２の検出手段で検出された前記情報を用いて前記原稿が前記特殊原稿であるか否かを判定するものである。
【００１６】
また、請求項９の特殊原稿判定装置にあっては、請求項８に記載の特殊原稿判定装置において、前記第１の検出手段が前記金属繊維検出手段であり、前記第２の検出手段が前記特殊原稿画像検出手段である場合に、前記原稿が前記特殊原稿であるか否かの判定を行うことが不可能な場合とは、前記第１の検出手段で前記原稿を覆う圧板に金属部材が用いられていることが検出された場合であるものである。
【００１７】
また、請求項１０の特殊原稿判定装置にあっては、請求項８に記載の特殊原稿判定装置において、前記原稿が前記特殊原稿であるか否かの判定を行うことが不可能な場合とは、前記第１の検出手段に異常が発生した場合であるものである。
【００１８】
また、請求項１１の特殊原稿判定装置にあっては、請求項１〜６のいずれか一つに記載の特殊原稿判定装置において、前記判定手段が、前記第１の検出手段で検出された前記情報に基づいて前記原稿が前記特殊原稿ではないと判定した場合に、さらに、前記第２の検出手段で検出された前記情報に基づいて前記原稿が前記特殊原稿であるか否かを判定するものである。
【００１９】
また、請求項１２の特殊原稿判定装置にあっては、請求項１〜６のいずれか一つに記載の特殊原稿判定装置において、前記判定手段が、前記第１の検出手段で検出された前記情報に基づいて前記原稿が前記特殊原稿であると判定した場合に、さらに、前記第２の検出手段で検出された前記情報に基づいて前記原稿が前記特殊原稿であるか否かを判定するものである。
【００２０】
また、請求項１３の特殊原稿判定装置にあっては、請求項１〜６のいずれか一つに記載の特殊原稿判定装置において、前記第１の検出手段が前記特殊原稿画像検出手段であり、前記第２の検出手段が前記金属繊維検出手段である場合に、前記第２の検出手段が、前記第１の検出手段で前記原稿が存在する領域を特定した後、特定した領域を走査して前記情報を検出するものである。
【００２１】
また、請求項１４の特殊原稿判定装置にあっては、請求項１〜６のいずれか一つに記載の特殊原稿判定装置において、前記第１の検出手段が前記特殊原稿画像検出手段であり、前記第２の検出手段が前記金属繊維検出手段である場合に、前記第２の検出手段が、前記第１の検出手段で前記原稿を走査して前記特殊原稿に特有な画像が存在する領域を特定した後、特定した領域を走査して前記情報を検出するものである。
【００２２】
また、請求項１５の特殊原稿判定装置にあっては、請求項１〜６のいずれか一つに記載の特殊原稿判定装置において、前記第１の検出手段が前記金属繊維検出手段であり、前記第２の検出手段が前記特殊原稿画像検出手段である場合に、前記第２の検出手段は、前記第１の検出手段で前記原稿を走査して前記原稿中にすき込まれた金属繊維の存在する領域を特定した後、特定した領域を走査して前記情報を検出するものである。
【００２３】
また、請求項１６の特殊原稿判定装置にあっては、請求項３〜６のいずれか一つに記載の特殊原稿判定装置において、さらに、前記金属繊維検出手段および特殊原稿画像検出手段のいずれか一方または両方を前記特殊原稿か否かを判定するための情報を検出するための検出手段として選択する選択手段を備え、前記金属繊維検出手段または／および特殊原稿画像検出手段が、前記閾値として前記選択手段の選択結果に応じて異なる値を用いるものである。
【００２４】
また、請求項１７の特殊原稿判定装置にあっては、請求項３に記載の特殊原稿判定装置において、前記金属繊維検出手段が、前記適合度が第１の閾値を超えるか否かを判定し、前記判定手段が、前記金属繊維検出手段で前記適合度が前記第１の閾値を超えると判定された場合に前記原稿が前記特殊原稿であると判定し、前記特殊原稿画像検出手段が、前記金属繊維検出手段で前記適合度が前記第１の閾値を超えないと判定された場合に前記求めた適合度が第２の閾値を超えるか否かを判定し、前記判定手段が、前記特殊原稿画像検出手段で前記適合度が前記第２の閾値を超えると判定された場合に前記原稿が前記特殊原稿であると判定し、前記金属繊維検出手段が、前記特殊原稿画像検出手段で前記適合度が前記第２の閾値を超えないと判定された場合に前記求めた適合度が前記第１の閾値と異なる第３の閾値を超えるか否かを判定し、前記判定手段が、前記金属繊維検出手段で前記適合度が前記第３の閾値を超えないと判定された場合に前記原稿が前記特殊原稿ではないと判定し、前記特殊原稿画像検出手段が、前記金属繊維検出手段で前記適合度が前記第３の閾値を超えると判定された場合に前記求めた適合度が前記第２の閾値と異なる第４の閾値を超えるか否かを判定し、前記判定手段が、前記特殊原稿画像検出手段で前記適合度が前記第４の閾値を超えると判定された場合に前記原稿が前記特殊原稿であると判定し、前記特殊原稿画像検出手段で前記適合度が前記第４の閾値を超えないと判定された場合に前記原稿が前記特殊原稿ではないと判定するものである。
【００２５】
さらに、請求項１８の特殊原稿判定装置にあっては、請求項４に記載の特殊原稿判定装置において、前記金属繊維検出手段が、前記検出したマイクロ波の反射波のレベルが予め設定された第１の閾値を超えるか否かを判定し、前記特殊原稿画像検出手段が、前記金属繊維検出手段で前記適合度が前記閾値を超えないと判定された場合に前記求めた適合度が第２の閾値を超えるか否かを判定し、前記判定手段が、前記特殊原稿画像検出手段で前記適合度が前記第２の閾値を超えると判定された場合に前記原稿が前記特殊原稿であると判定し、前記特殊原稿画像検出手段で前記適合度が前記第２の閾値を超えないと判定された場合に前記原稿が前記特殊原稿ではないと判定し、前記特殊原稿画像検出手段が、前記金属繊維検出手段で前記適合度が前記第１の閾値を超えると判定された場合に前記読み取った画像データと前記特殊原稿画像情報との適合度を求め、求めた適合度が前記第２の閾値と異なる第３の閾値を超えるか否かを判定し、前記判定手段が、前記特殊原稿画像検出手段で前記適合度が前記第３の閾値を超えると判定された場合に前記原稿が前記特殊原稿であると判定し、前記特殊原稿画像検出手段で前記適合度が前記第３の閾値を超えないと判定された場合に前記原稿が前記特殊原稿ではないと判定するものである。
【００２６】
【発明の実施の形態】
以下、本発明の特殊原稿判定装置について、〔実施の形態１〕，〔実施の形態２〕，〔実施の形態３〕，〔実施の形態４〕，〔実施の形態５〕，〔実施の形態６〕，〔実施の形態７〕，〔実施の形態８〕，〔実施の形態９〕の順で、図面を参照して詳細に説明する。なお、以下に説明する実施の形態においては、本発明の特殊原稿判定装置を複写機に搭載した場合を例として説明する。
【００２７】
〔実施の形態１〕
図１は、実施の形態１の特殊原稿判定装置が搭載された複写機のブロック構成図である。図１に示す複写機は、原稿からＲＧＢのカラー画像データを読み取るスキャナユニット１１０（請求項１記載の第１または第２の検出手段に該当する）と、スキャナユニット１１０からカラー画像データを入力し、γ補正処理，ＲＧＢ／ＹＭＣＫ変換処理，階調処理等を行う画像処理ユニット１２０と、レーザダイオード（ＬＤ）１３１を発光させて画像書込処理を実行する書込処理ユニット１３０と、ＬＤ１３１の書込光を用いて記録紙にカラー画像を記録するプリンタユニット１４０と、各種モードの入力およびメッセージの表示等を行うための操作ユニット１５０と、原稿にマイクロ波を照射し、照射したマイクロ波の反射波を用いて、原稿中に金属繊維がすき込まれているか否かを判定する原稿判別ユニット１６０（請求項１記載の第１または第２の検出手段に該当する）と、上記各部を制御する制御ユニット１８０（請求項１記載の判定手段に該当する）と、を有している。なお、図１において、スキャナユニット１１０，原稿判別ユニット１６０および制御ユニット１８０が、本発明の特殊原稿判定装置を構成する。
【００２８】
図１において、スキャナユニット１１０は、カラー画像データを読み取るＣＣＤセンサ等の読取センサ１１１と、読取センサ１１１から出力されたアナログ信号としてのカラー画像データをディジタル信号に変換する等の信号処理を施して、画像処理ユニット１２０に出力する読取信号処理部１１２と、読取センサ１１１で読み取られたカラー画像データを記憶する画像記憶部１１３と、を有している。ここで、読取信号処理部１１２は、予め定めた複数の所定の画像データを有しており、読取センサ１１１で読み取ったカラー画像データから予め定めた所定の画像データを検出することにより、原稿上に印刷等された特殊原稿に特有の画像を検出する（例えばマッチング処理等が用いられる）。なお、読取センサ１１１は、通常画像データを読み取る際に用いる第１の読取モードと、第１の読取モードより高解像度で画像データを読取可能な第２の読取モードとを有している。
【００２９】
プリンタユニット１４０は、図１に示すように、感光体ドラム，帯電器，現像器等の画像形成部（図示せず）並びにこれらを駆動するためのモータ、クラッチおよびソレノイド等を含む出力負荷部１４１と、感光体ドラムの表面電位やトナー濃度等を検出する各種センサ１４２と、所定の信号の入出力を制御するＩ／Ｏポート１４３と、を有している。
【００３０】
また、原稿判別ユニット１６０は、図１に示すように、原稿に対してマイクロ波を照射し、その反射波を検出し、反射波のレベルに応じた検出信号を出力するマイクロ波センサ１６１と、マイクロ波センサ１６１から出力された検出信号を入力し、入力した検出信号に所定の信号処理を施して、原稿中に金属繊維がすき込まれているか否かを判定する信号処理部１６２と、マイクロ波センサ１６１から出力された検出信号を記憶する信号記憶部１６３と、を有している。なお、マイクロ波センサ１６１は、通常マイクロ波の反射波を検出する際に用いる第１の検出モードと、第１の検出モードより高精度でマイクロ波の反射波を検出可能な第２の検出モードとを有している。
【００３１】
さらに、図２は、実施の形態１の特殊原稿判定装置が搭載された複写機の画像読取部の構成図である。図２に示す複写機の画像読取部は、原稿が載置されるコンタクトガラス２０１と、原稿をコンタクトガラス２０１上に押圧する圧板２０２と、露光照明ユニット（ハロゲンランプ）２０３，第１ミラー２０４およびマイクロ波センサ１６１で一体構成された第１スキャナ２０５と、第２ミラー２０６および第３ミラー２０７で一体構成された第２スキャナ２０８と、フィルタ２０９，レンズ２１０およびＣＣＤ２１２で一体構成された画像読取部２１３と、ＣＣＤ２１２から出力された画像信号を入力し、所定の信号処理を施すための各種回路、即ち読取信号処理部１１２や、画像処理ユニット１２０，信号処理部１６２等が実装されたスキャナ基板２１４とが、筐体内に収容されて構成されている。
【００３２】
なお、図２において、２１５はシェーディング板（白基準板）を示し、２１６および２１７は冷却ファンを示し、２１８は結露防止ヒータを示し、２１９は原稿サイズ検知器を示し、２２０はバーコード板を示している。
【００３３】
次に、上述した構成を有する実施の形態１の特殊原稿判定装置が搭載された複写機による特殊原稿判定手順を説明する。図３は、実施の形態１の特殊原稿判定装置が搭載された複写機による特殊原稿判定手順を示すフローチャートである。
【００３４】
まず、原稿がコンタクトガラス２０１上に載置され、操作ユニット１５０からコピー開始が指示されると、第１スキャナ２０５が原稿の副走査方向に移動を開始する。第１スキャナ２０５の副走査方向の移動の往路においては、スキャナユニット１１０によって、原稿に紙幣・有価証券等の特殊原稿に特有なマーク（例えば印章等）が印刷されているか否かを判定する処理が実行される（Ｓ３０１）。
【００３５】
具体的には、露光照明ユニット２０３が光を原稿に照射して走査することにより、読取センサ１１１で画像データを読み取る。読取センサ１１１で読み取った画像データは、画像記憶部１１３に記憶される。読取信号処理部１１２には、紙幣・有価証券等の特殊原稿に特有なマークの画像データが予め設定されており、読取信号処理部１１２は、画像記憶部１１３に記憶された画像データから予め設定された画像データを検出する処理を実行する。
【００３６】
ステップＳ３０２において、読取信号処理部１１２が、読み取った画像データから予め設定された画像データを検出することができなかった場合には、その旨が制御ユニット１８０に報告される。その結果、制御ユニット１８０は、原稿が紙幣・有価証券等の特殊原稿ではなく、一般の原稿であると判定して（Ｓ３０３）、特殊原稿判定処理を終了する。
【００３７】
一方、ステップＳ３０２において、読取信号処理部１１２が、読み取った画像データから予め設定された画像データを検出した場合には、その旨が制御ユニット１８０に報告される。その結果、制御ユニット１８０は、マイクロ波センサ１６０の検出モードを、第１の検出モードからマイクロ波の反射波を高精度で検出可能な第２の検出モードに切り替える（Ｓ３０４）。
【００３８】
そして、第１スキャナ２０５の副走査方向の移動の復路において、原稿判別ユニット１６０によって原稿中に金属繊維がすき込まれているか否かを判定する処理が実行される（Ｓ３０５）。
【００３９】
具体的には、マイクロ波センサ１６１が、原稿にマイクロ波を照射して走査し、照射したマイクロ波の反射波を検出して、検出したマイクロ波のレベルに応じた検出信号を出力する。マイクロ波センサ１６１から出力された検出信号は、信号処理部１６２を介して信号記憶部１６３に記憶された後、所定の信号処理が施される。その後、信号処理部１６２は、例えば、検出信号のレベルと予め設定された閾値とを比較することにより、原稿中に金属繊維がすき込まれているか否かを判定する。
【００４０】
ステップＳ３０６において、信号処理部１６２が、原稿中に金属繊維がすき込まれていないと判定した場合には、その旨が制御ユニット１８０に報告される。その結果、制御ユニット１８０は、原稿が金属繊維がすき込まれた紙幣・有価証券等の特殊原稿ではなく、一般の原稿であると判定して（Ｓ３０３）、特殊原稿判定処理を終了する。
【００４１】
一方、ステップＳ３０６において、信号処理部１６２が、原稿中に金属繊維がすき込まれていると判定した場合には、その旨が制御ユニット１８０に報告される。その結果、制御ユニット１８０は、原稿が金属繊維がすき込まれた紙幣・有価証券等の特殊原稿であると判定して（Ｓ３０７）、特殊原稿判定処理を終了する。
【００４２】
このようにして、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【００４３】
このように、実施の形態１の特殊原稿判定装置が搭載された複写機によれば、最初の判定処理により、原稿が特殊原稿である可能性が高いと判定された場合に、再度、原稿が特殊原稿であるか否かを判定する処理を実行するため、高い精度で特殊原稿判定処理を実行することができる。
【００４４】
また、実施の形態１の特殊原稿判定処理が搭載された複写機による特殊原稿判定処理の説明においては、最初にスキャナユニット１１０による判定処理を行った後、原稿判別ユニット１６０による判定処理を行うことにしたが、この順番に限定するものではなく、原稿判別ユニット１６０による判定処理を行った後、スキャナユニット１１０による判定処理を実行することにしても良い。
【００４５】
また、原稿が特殊原稿か否かを判定するための処理を走査の往路および復路で行うことにしたが、これに限定するものではなく、走査の往路のみで特殊原稿か否かを判定するための処理を行うことにしても良い。ただし、原稿判別ユニット１６０またはスキャナユニット１１０の一方で判定処理を行った後、その判定結果を確認するための判定処理を原稿判別ユニット１６０またはスキャナユニット１１０の他方で行うことを可能とするため、両ユニットを位置的にずらして原稿を走査するようにするか、両ユニットによる走査のタイミングをずらして原稿を走査するようにする等、両ユニットによる判定処理を時間的に異ならせることが必要である。この場合、上述したように、一方のユニットによる判定処理が全て終了した後に、他方のユニットによる判定処理を開始することにしても良いし、一方のユニットによる判定処理を行いつつ、所定の時間差をおいて、他方のユニットによる判定処理を行うことにしても良い。
【００４６】
さらに、実施の形態１の特殊原稿判定装置では、光学的に特殊原稿であるか否かを判定する方式と、マイクロ波を用いて、原稿中にすき込まれた金属繊維を検出して、特殊原稿であるか否かを判定する方式とを用いることにしたが、これら以外の他の方式を用いても良く、また、２つ以上の方式を用いることにしても良い。
【００４７】
〔実施の形態２〕
実施の形態２の特殊原稿判定装置について、特殊原稿判定装置が搭載された複写機を例として説明する。なお、実施の形態２の特殊原稿判定装置が搭載された複写機の構成は、上述した実施の形態１のものとほぼ同様であるため、ここではその説明を省略する。
【００４８】
次に、実施の形態２の特殊原稿判定装置が搭載された複写機による特殊原稿判定手順を説明する。図４は、実施の形態２の特殊原稿判定装置が搭載された複写機による特殊原稿判定手順を示すフローチャートである。
【００４９】
まず、原稿がコンタクトガラス２０１上に載置され、操作ユニット１５０からコピー開始が指示されると、第１スキャナ２０５が原稿の副走査方向に移動を開始する。第１スキャナ２０５の副走査方向の移動の往路においては、スキャナユニット１１０によって、原稿に紙幣・有価証券等の特殊原稿に特有なマーク（例えば印章等）が印刷されているか否かを判定する処理が実行される（Ｓ４０１）。
【００５０】
具体的には、露光照明ユニット２０３が光を原稿に照射して走査することにより、読取センサ１１１で画像データを読み取る。読取センサ１１１で読み取った画像データは、画像記憶部１１３に記憶される。読取信号処理部１１２には、紙幣・有価証券等の特殊原稿に特有なマークの画像データが予め設定されており、読取信号処理部１１２は、画像記憶部１１３に記憶された画像データから予め設定された画像データを検出する処理を実行する。
【００５１】
ステップＳ４０２において、読取信号処理部１１２が、読み取った画像データから予め設定された画像データを検出することができなかった場合には、その旨が制御ユニット１８０に報告される。その結果、制御ユニット１８０は、原稿が紙幣・有価証券等の特殊原稿ではなく、一般の原稿であると判定すると共に（Ｓ４０３）、第１スキャナ２０５の副走査方向の移動の復路において実行される原稿判別ユニット１６０による原稿中に金属繊維がすき込まれているか否かを判定する処理を中止して（Ｓ４０５）、特殊原稿判定処理を終了する。
【００５２】
一方、ステップＳ４０２において、読取信号処理部１１２が、読み取った画像データから予め設定された画像データを検出した場合には、その旨が制御ユニット１８０に報告される。その結果、制御ユニット１８０は、原稿が金属繊維がすき込まれた紙幣・有価証券等の特殊原稿であると判定すると共に（Ｓ４０４）、第１スキャナ２０５の副走査方向の移動の復路において実行される原稿判別ユニット１６０による原稿中に金属繊維がすき込まれているか否かを判定する処理を中止して（Ｓ４０５）、特殊原稿判定処理を終了する。
【００５３】
ところで、ステップＳ４０１で得られた情報からは、原稿が特殊原稿であるか否かを判定することが困難（不可能）な場合がある。ここで、そのような場合の処理について、図４の場合とは異なるが、原稿判別ユニット１６０で原稿中に金属繊維がすき込まれているか否かを判定した後、スキャナユニット１１０で原稿に紙幣・有価証券等の特殊原稿に特有なマーク（例えば印章等）が印刷されているか否かを判定する処理を実行する場合を例として説明する。
【００５４】
マイクロ波を原稿に照射して走査し、照射したマイクロ波の反射波を用いて、原稿中に金属繊維がすき込まれているいるか否かを判定する際に、圧板２０２に金属部材が用いられている場合（または圧板２０２がＡＤＦ（オートドキュメントフィーダー）である場合）には、金属部材の影響でマイクロ波の反射波のレベルが変化するため、精度良く原稿中に金属繊維がすき込まれているか否かを判定することが困難となる。そこで、信号処理部１６２が、マイクロ波センサ１６１から出力された検出信号のレベルをチェックし、圧板２０２に金属部材が用いられているか否かを判定する。信号処理部１６２が圧板２０２に金属部材が用いられていると判定した場合には、その旨が制御ユニット１８０に報告され、制御ユニット１８０は、スキャナユニット１１０に対し、原稿に紙幣・有価証券等の特殊原稿に特有なマーク（例えば印章等）が印刷されているか否かを判定する処理を実行させる。
【００５５】
また、マイクロ波を原稿に照射して走査し、照射したマイクロ波の反射波を用いて、原稿中に金属繊維がすき込まれているいるか否かを判定する際に、マイクロ波の反射波の検出信号の出力がない等、マイクロ波センサ１６１の異常を信号処理部１６２が検知した場合には、その旨が制御ユニット１８０に報告される。制御ユニット１８０は、原稿判別ユニット１６０による特殊原稿の判定処理を中止し、スキャナユニット１１０に対し、原稿に紙幣・有価証券等の特殊原稿に特有なマーク（例えば印章等）が印刷されているか否かを判定する処理を実行させる。なお、スキャナユニット１１０による特殊原稿の判定処理を先に実行する場合において、スキャナユニット１１０に異常があることが検知された場合には、スキャナユニット１１０による特殊原稿の判定処理を中止し、原稿判別ユニット１６０による特殊原稿の判定処理が実行される。
【００５６】
上述した特殊原稿の判定処理において、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【００５７】
このように、実施の形態２の特殊原稿判定装置が搭載された複写機によれば、スキャナユニット１１０または原稿判別ユニット１６０の一方による特殊原稿の判定処理で原稿が特殊原稿か否かが判定されると、他方による特殊原稿の判定処理が中止されるため、特殊原稿の判定処理の高速化を図ることができる。また、スキャナユニット１１０または原稿判別ユニット１６０の一方に異常または特殊原稿の判定処理を実行できない場合が生じた場合には、他方による特殊原稿判定処理が実行されるため、特殊原稿の判定精度の向上を図ることができる。
【００５８】
なお、スキャナユニット１１０と原稿判別ユニット１６０とによる特殊原稿の判定処理の順序，両者が特殊原稿の判定処理を行うタイミング，特殊原稿の判定処理を行うための方式等については、実施の形態２で説明したものに限定するものではない。これらの点の詳細に関しては、実施の形態１で既に説明したため、ここでは説明を省略する。
【００５９】
〔実施の形態３〕
実施の形態３の特殊原稿判定装置について、特殊原稿判定装置が搭載された複写機を例として説明する。なお、実施の形態３の特殊原稿判定装置が搭載された複写機の構成は、上述した実施の形態１のものとほぼ同様であるため、ここではその説明を省略する。
【００６０】
次に、実施の形態３の特殊原稿判定装置が搭載された複写機による特殊原稿判定手順を説明する。図５は、実施の形態３の特殊原稿判定装置が搭載された複写機による特殊原稿判定手順を示すフローチャートである。
【００６１】
まず、原稿がコンタクトガラス２０１上に載置され、操作ユニット１５０からコピー開始が指示されると、第１スキャナ２０５が原稿の副走査方向に移動を開始する。第１スキャナ２０５の副走査方向の移動の往路において、原稿判別ユニット１６０によって原稿中に金属繊維がすき込まれているか否かを判定する処理が実行される（Ｓ５０１）。
【００６２】
具体的には、マイクロ波センサ１６１が、原稿にマイクロ波を照射して走査し、照射したマイクロ波の反射波を検出して、検出したマイクロ波のレベルに応じた検出信号を出力する。マイクロ波センサ１６１から出力された検出信号は、信号処理部１６２を介して信号記憶部１６３に記憶された後、所定の信号処理が施される。その後、信号処理部１６２は、例えば、検出信号のレベルと予め設定された閾値とを比較することにより、原稿中に金属繊維がすき込まれているか否かを判定する。
【００６３】
ステップＳ５０２において、信号処理部１６２が、原稿中に金属繊維がすき込まれていると判定した場合には、その旨が制御ユニット１８０に報告される。その結果、制御ユニット１８０は、原稿が金属繊維がすき込まれた紙幣・有価証券等の特殊原稿であると判定して（Ｓ５０３）、特殊原稿判定処理を終了する。
【００６４】
一方、ステップＳ５０２において、信号処理部１６２が、原稿中に金属繊維がすき込まれていないと判定した場合には、その旨が制御ユニット１８０に報告される。その結果、制御ユニット１８０は、原稿が紙幣・有価証券等の特殊原稿でない（可能性がある）と判定し、第１スキャナ２０５の副走査方向の移動の復路において、スキャナユニット１１０に特殊原稿の判定処理を実行させる（Ｓ５０４）。
【００６５】
すなわち、第１スキャナ２０５の副走査方向の移動の往路においては、スキャナユニット１１０によって、原稿に紙幣・有価証券等の特殊原稿に特有なマーク（例えば印章等）が印刷されているか否かを判定する処理が実行される。
【００６６】
具体的には、露光照明ユニット２０３が光を原稿に照射して走査することにより、読取センサ１１１で画像データを読み取る。読取センサ１１１で読み取った画像データは、画像記憶部１１３に記憶される。読取信号処理部１１２には、紙幣・有価証券等の特殊原稿に特有なマークの画像データが予め設定されており、読取信号処理部１１２は、画像記憶部１１３に記憶された画像データから予め設定された画像データを検出する処理を実行する。
【００６７】
ステップＳ５０５において、読取信号処理部１１２が、読み取った画像データから予め設定された画像データを検出した場合には、その旨が制御ユニット１８０に報告される。その結果、制御ユニット１８０は、原稿が紙幣・有価証券等の特殊原稿であると判定して（Ｓ５０３）、特殊原稿判定処理を終了する。
【００６８】
一方、ステップＳ５０５において、読取信号処理部１１２が、読み取った画像データから予め設定された画像データを検出することができなかった場合には、その旨が制御ユニット１８０に報告される。その結果、制御ユニット１８０は、原稿が紙幣・有価証券等の特殊原稿ではなく、一般の原稿であると判定して（Ｓ５０６）、特殊原稿判定処理を終了する。
【００６９】
上述した特殊原稿の判定処理を行った結果、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【００７０】
このように、実施の形態３の特殊原稿判定装置が搭載された複写機によれば、スキャナユニット１１０または原稿判別ユニット１６０の一方による特殊原稿の判定処理で、原稿が特殊原稿でないと判定された場合に、他方による特殊原稿の判定処理が実行されるため、原稿が特殊原稿であるか否かを２重にチェックすることが可能となり、特殊原稿の判定精度の向上を図ることができる。
【００７１】
なお、スキャナユニット１１０と原稿判別ユニット１６０とによる特殊原稿の判定処理の順序，両者が特殊原稿の判定処理を行うタイミング，特殊原稿の判定処理を行うための方式等については、実施の形態３で説明したものに限定するものではない。これらの点の詳細に関しては、実施の形態１で既に説明したため、ここでは説明を省略する。
【００７２】
〔実施の形態４〕
実施の形態４の特殊原稿判定装置について、特殊原稿判定装置が搭載された複写機を例として説明する。なお、実施の形態４の特殊原稿判定装置が搭載された複写機の構成は、上述した実施の形態１のものとほぼ同様であるため、ここではその説明を省略する。
【００７３】
次に、実施の形態４の特殊原稿判定装置が搭載された複写機による特殊原稿判定手順を説明する。図６は、実施の形態４の特殊原稿判定装置が搭載された複写機による特殊原稿判定手順を示すフローチャートである。
【００７４】
まず、原稿がコンタクトガラス２０１上に載置され、操作ユニット１５０からコピー開始が指示されると、第１スキャナ２０５が原稿の副走査方向に移動を開始する。第１スキャナ２０５の副走査方向の移動の往路においては、スキャナユニット１１０によって、原稿に紙幣・有価証券等の特殊原稿に特有なマーク（例えば印章等）が印刷されているか否かを判定する処理が実行される（Ｓ６０１）。
【００７５】
具体的には、露光照明ユニット２０３が光を原稿に照射して走査することにより、読取センサ１１１で画像データを読み取る。読取センサ１１１で読み取った画像データは、画像記憶部１１３に記憶される。読取信号処理部１１２には、紙幣・有価証券等の特殊原稿に特有なマークの画像データが予め設定されており、読取信号処理部１１２は、画像記憶部１１３に記憶された画像データから予め設定された画像データを検出する処理を実行する。
【００７６】
ステップＳ６０２において、読取信号処理部１１２が、読み取った画像データから予め設定された画像データを検出しなかった場合には、その旨が制御ユニット１８０に報告される。その結果、制御ユニット１８０は、原稿が紙幣・有価証券等の特殊原稿ではなく、一般の原稿であると判定して（Ｓ６０３）、特殊原稿判定処理を終了する。
【００７７】
一方、ステップＳ６０２において、読取信号処理部１１２が、読み取った画像データから予め設定された画像データを検出した場合には、その旨が制御ユニット１８０に報告される。その結果、制御ユニット１８０は、原稿が紙幣・有価証券等の特殊原稿である（可能性がある）と判定し、第１スキャナ２０５の副走査方向の移動の復路において、原稿判別ユニット１６０に特殊原稿の判定処理を実行させる（Ｓ６０４）。
【００７８】
すなわち、第１スキャナ２０５の副走査方向の移動の復路においては、原稿判別ユニット１６０によって原稿中に金属繊維がすき込まれているか否かを判定する処理が実行される。
【００７９】
具体的には、マイクロ波センサ１６１が、原稿にマイクロ波を照射して走査し、照射したマイクロ波の反射波を検出して、検出したマイクロ波のレベルに応じた検出信号を出力する。マイクロ波センサ１６１から出力された検出信号は、信号処理部１６２を介して信号記憶部１６３に記憶された後、所定の信号処理が施される。その後、信号処理部１６２は、例えば、検出信号のレベルと予め設定された閾値とを比較することにより、原稿中に金属繊維がすき込まれているか否かを判定する。
【００８０】
ステップＳ６０５において、信号処理部１６２が、原稿中に金属繊維がすき込まれていないと判定した場合には、その旨が制御ユニット１８０に報告される。その結果、制御ユニット１８０は、原稿が金属繊維がすき込まれた紙幣・有価証券等の特殊原稿ではなく、一般の原稿であると判定して（Ｓ６０３）、特殊原稿判定処理を終了する。
【００８１】
一方、ステップＳ６０５において、信号処理部１６２が、原稿中に金属繊維がすき込まれていると判定した場合には、その旨が制御ユニット１８０に報告される。その結果、制御ユニット１８０は、原稿が金属繊維がすき込まれた紙幣・有価証券等の特殊原稿であると判定して（Ｓ６０６）、特殊原稿判定処理を終了する。
【００８２】
上述した特殊原稿の判定処理を行った結果、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【００８３】
このように、実施の形態４の特殊原稿判定装置が搭載された複写機によれば、スキャナユニット１１０または原稿判別ユニット１６０の一方による特殊原稿の判定処理で、原稿が特殊原稿であると判定された場合に、他方による特殊原稿の判定処理が実行されるため、原稿が特殊原稿であるか否かを２重にチェックすることが可能となり、特殊原稿の判定精度の向上を図ることができる。
【００８４】
なお、スキャナユニット１１０と原稿判別ユニット１６０とによる特殊原稿の判定処理の順序，両者が特殊原稿の判定処理を行うタイミング，特殊原稿の判定処理を行うための方式等については、実施の形態４で説明したものに限定するものではない。これらの点の詳細に関しては、実施の形態１で既に説明したため、ここでは説明を省略する。
【００８５】
〔実施の形態５〕
実施の形態５の特殊原稿判定装置について、特殊原稿判定装置が搭載された複写機を例として説明する。なお、実施の形態５の特殊原稿判定装置が搭載された複写機の構成は、上述した実施の形態１のものとほぼ同様であるため、ここではその説明を省略する。
【００８６】
次に、実施の形態５の特殊原稿判定装置が搭載された複写機による特殊原稿判定手順を説明する。図７は、実施の形態５の特殊原稿判定装置が搭載された複写機による特殊原稿判定手順を示すフローチャートである。
【００８７】
まず、原稿がコンタクトガラス２０１上に載置され、操作ユニット１５０からコピー開始が指示されると、第１スキャナ２０５が原稿の副走査方向に移動を開始する。第１スキャナ２０５の副走査方向の移動の往路においては、スキャナユニット１１０によって、コンタクトガラス２０１上に載置された原稿の位置を特定するための処理が実行される（Ｓ７０１）。
【００８８】
具体的には、露光照明ユニット２０３で画像データを読み取り可能なコンタクトガラス２０１の領域を走査することにより、読取センサ１１１で画像データを読み取る。読取センサ１１１で読み取った画像データは、画像記憶部１１３に記憶される。読取信号処理部１１２は、画像記憶部１１３に記憶された画像データを用いて、コンタクトガラス２０１上に原稿が存在するか否かを判定すると共に、原稿が存在すると判定した場合には、原稿の存在する位置を特定する。
【００８９】
ステップＳ７０２において、読取信号処理部１１２が、読み取った画像データからコンタクトガラス２０１上に載置された原稿が存在しないと判定した場合には、その旨が制御ユニット１８０に報告される。その結果、制御ユニット１８０は、特殊原稿判定処理を終了する。
【００９０】
一方、ステップＳ７０２において、読取信号処理部１１２が、読み取った画像データからコンタクトガラス２０１上に載置された原稿が存在すると判定した場合には、原稿が存在する領域が特定され、原稿の存在する領域に関する情報が制御ユニット１８０に報告される。その結果、制御ユニット１８０は、第１スキャナ２０５の副走査方向の移動の復路において、原稿判別ユニット１６０に原稿が存在する領域について、特殊原稿の判定処理を実行させる（Ｓ７０３）。
【００９１】
すなわち、第１スキャナ２０５の副走査方向の移動の復路においては、原稿判別ユニット１６０によって原稿中に金属繊維がすき込まれているか否かを判定する処理が実行される。
【００９２】
具体的には、マイクロ波センサ１６１が、原稿が存在する領域、即ち原稿にマイクロ波を照射して走査し、照射したマイクロ波の反射波を検出して、検出したマイクロ波のレベルに応じた検出信号を出力する。マイクロ波センサ１６１から出力された検出信号は、信号処理部１６２を介して信号記憶部１６３に記憶された後、所定の信号処理が施される。その後、信号処理部１６２は、例えば、検出信号のレベルと予め設定された閾値とを比較することにより、原稿中に金属繊維がすき込まれているか否かを判定する。
【００９３】
ステップＳ７０４において、信号処理部１６２が、原稿中に金属繊維がすき込まれていると判定した場合には、その旨が制御ユニット１８０に報告される。その結果、制御ユニット１８０は、原稿が金属繊維がすき込まれた紙幣・有価証券等の特殊原稿であると判定して（Ｓ７０５）、特殊原稿判定処理を終了する。
【００９４】
一方、ステップＳ７０４において、信号処理部１６２が、原稿中に金属繊維がすき込まれていないと判定した場合には、その旨が制御ユニット１８０に報告される。その結果、制御ユニット１８０は、原稿が金属繊維がすき込まれた紙幣・有価証券等の特殊原稿ではなく、一般の原稿であると判定して（Ｓ７０６）、特殊原稿判定処理を終了する。
【００９５】
上述した特殊原稿の判定処理を行った結果、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【００９６】
このように、実施の形態５の特殊原稿判定装置が搭載された複写機によれば、スキャナユニット１１０で原稿の存在する領域を特定した後、原稿判別ユニット１６０が、原稿の存在する領域について、特殊原稿の判定処理を実行するため、特殊原稿の判定処理を受けることを避けて、紙幣・有価証券等の特殊原稿の違法複写を行おうとした場合であっても、確実に特殊原稿であるか否かの判定処理を実行することができる。
【００９７】
なお、スキャナユニット１１０と原稿判別ユニット１６０とによる特殊原稿の判定処理が、走査の往路と復路で行われるということに限定するものではない。また、特殊原稿の判定処理を行うための方式については、実施の形態５で説明したものに限定するものではない。これらの点の詳細に関しては、実施の形態１で既に説明したため、ここでは説明を省略する。
【００９８】
〔実施の形態６〕
実施の形態６の特殊原稿判定装置について、特殊原稿判定装置が搭載された複写機を例として説明する。なお、実施の形態６の特殊原稿判定装置が搭載された複写機の構成は、上述した実施の形態１のものとほぼ同様であるため、ここではその説明を省略する。
【００９９】
次に、実施の形態６の特殊原稿判定装置が搭載された複写機による特殊原稿判定手順を説明する。図８は、実施の形態６の特殊原稿判定装置が搭載された複写機による特殊原稿判定手順を示すフローチャートである。
【０１００】
まず、原稿がコンタクトガラス２０１上に載置され、操作ユニット１５０からコピー開始が指示されると、第１スキャナ２０５が原稿の副走査方向に移動を開始する。第１スキャナ２０５の副走査方向の移動の往路においては、スキャナユニット１１０によって、コンタクトガラス２０１上に載置された原稿から特殊原稿に特有なマークを検出し、原稿上に特殊原稿に特有なマークが印刷された領域を特定するための処理が実行される（Ｓ８０１）。
【０１０１】
具体的には、露光照明ユニット２０３で原稿を走査することにより、読取センサ１１１で画像データを読み取る。読取センサ１１１で読み取った画像データは、画像記憶部１１３に記憶される。読取信号処理部１１２には、紙幣・有価証券等の特殊原稿に特有なマークの画像データが予め設定されており、読取信号処理部１１２は、画像記憶部１１３に記憶された画像データから予め設定された画像データを検出すると共に、検出された画像データの存在する位置、即ち特殊原稿に特有なマークが印刷された領域を特定する処理を実行する。
【０１０２】
ステップＳ８０２において、読取信号処理部１１２が、読み取った画像データから予め設定された画像データを検出することができなかった場合には、その旨が制御ユニット１８０に報告される。その結果、制御ユニット１８０は、原稿が特殊原稿ではなく、一般の原稿であると判定し（Ｓ８０３）、特殊原稿判定処理を終了する。
【０１０３】
一方、ステップＳ８０２において、読取信号処理部１１２が、読み取った画像データから予め設定された画像データを検出した場合には、原稿上に印刷された特殊原稿に特有なマークが存在する領域が特定され、マークの存在する領域に関する情報が制御ユニット１８０に報告される。その結果、制御ユニット１８０は、第１スキャナ２０５の副走査方向の移動の復路において、原稿判別ユニット１６０に、原稿上に印刷されたマークが存在する領域について特殊原稿の判定処理を実行させる（Ｓ８０４）。
【０１０４】
すなわち、第１スキャナ２０５の副走査方向の移動の復路においては、原稿判別ユニット１６０によって、原稿上に印刷されたマークが存在する領域中に金属繊維がすき込まれているか否かを判定する処理が実行される。この処理は、マークの部分に金属繊維がすき込まれた特殊原稿を想定したものである。
【０１０５】
具体的には、マイクロ波センサ１６１が、原稿上に印刷されたマークが存在する領域にマイクロ波を照射して走査し、照射したマイクロ波の反射波を検出して、検出したマイクロ波のレベルに応じた検出信号を出力する。マイクロ波センサ１６１から出力された検出信号は、信号処理部１６２を介して信号記憶部１６３に記憶された後、所定の信号処理が施される。その後、信号処理部１６２は、例えば、検出信号のレベルと予め設定された閾値とを比較することにより、原稿中に金属繊維がすき込まれているか否かを判定する。
【０１０６】
ステップＳ８０５において、信号処理部１６２が、原稿上に印刷されたマークが存在する領域に金属繊維がすき込まれていないと判定した場合には、その旨が制御ユニット１８０に報告される。その結果、制御ユニット１８０は、原稿が金属繊維がすき込まれた紙幣・有価証券等の特殊原稿ではなく、一般の原稿であると判定して（Ｓ８０３）、特殊原稿判定処理を終了する。
【０１０７】
一方、ステップＳ８０５において、信号処理部１６２が、原稿上に印刷されたマークが存在する領域に金属繊維がすき込まれていると判定した場合には、その旨が制御ユニット１８０に報告される。その結果、制御ユニット１８０は、原稿が金属繊維がすき込まれた紙幣・有価証券等の特殊原稿であると判定して（Ｓ８０６）、特殊原稿判定処理を終了する。
【０１０８】
上述した特殊原稿の判定処理を行った結果、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【０１０９】
このように、実施の形態６の特殊原稿判定装置が搭載された複写機によれば、スキャナユニット１１０で原稿上に印刷された特殊原稿に特有なマークが存在する領域を特定した後、原稿判別ユニット１６０が、原稿上に印刷されたマークが存在する領域について、特殊原稿の判定処理を実行するため、原稿が特殊原稿であるか否かを２重にチェックすることが可能となり、特殊原稿の判定精度の向上を図ることができる。
【０１１０】
なお、実施の形態６では、原稿の走査の往路において、スキャナユニット１１０によって原稿上に印刷された特殊原稿に特有なマークが存在する領域を特定するための処理が実行され、原稿の走査の復路において、原稿判別ユニット１６０よってスキャナユニット１１０で特定された領域について特殊原稿の判定処理が実行されるとしたが、両ユニットの動作タイミングを走査の往路と復路に限定するものではない。また、特殊原稿の判定処理を行うための方式については、マイクロ波を用いるものに限定するものではなく、他の方式を用いることも可能である。これらの点に関しては、実施の形態１で既に説明したため、ここでは詳細な説明を省略する。
【０１１１】
〔実施の形態７〕
実施の形態７の特殊原稿判定装置について、特殊原稿判定装置が搭載された複写機を例として説明する。なお、実施の形態７の特殊原稿判定装置が搭載された複写機の構成は、上述した実施の形態１のものとほぼ同様であるため、ここではその説明を省略する。
【０１１２】
次に、実施の形態７の特殊原稿判定装置が搭載された複写機による特殊原稿判定手順を説明する。図９は、実施の形態７の特殊原稿判定装置が搭載された複写機による特殊原稿判定手順を示すフローチャートである。
【０１１３】
まず、原稿がコンタクトガラス２０１上に載置され、操作ユニット１５０からコピー開始が指示されると、第１スキャナ２０５が原稿の副走査方向に移動を開始する。第１スキャナ２０５の副走査方向の移動の往路においては、原稿判別ユニット１６０によって、原稿中に金属繊維がすき込まれた領域を特定するための処理が実行される（Ｓ９０１）。
【０１１４】
具体的には、マイクロ波センサ１６１が、原稿にマイクロ波を照射して走査し、照射したマイクロ波の反射波を検出して、検出したマイクロ波のレベルに応じた検出信号を出力する。マイクロ波センサ１６１から出力された検出信号は、信号処理部１６２を介して信号記憶部１６３に記憶された後、所定の信号処理が施される。その後、信号処理部１６２は、例えば、検出信号のレベルと予め設定された閾値とを比較することにより、原稿中に金属繊維がすき込まれているか否かを判定すると共に、金属繊維がすき込まれた領域を特定する処理を実行する。
【０１１５】
ステップＳ９０２において、信号処理部１６２が、原稿中に金属繊維がすき込まれていないと判定した場合には、その旨が制御ユニット１８０に報告される。その結果、制御ユニット１８０は、原稿が金属繊維がすき込まれた紙幣・有価証券等の特殊原稿ではなく、一般の原稿であると判定して（Ｓ９０３）、特殊原稿判定処理を終了する。
【０１１６】
一方、ステップＳ９０２において、信号処理部１６２が、原稿中に金属繊維がすき込まれていると判定した場合には、金属繊維がすき込まれている領域が特定され、金属繊維がすき込まれている領域に関する情報が制御ユニット１８０に報告される。その結果、制御ユニット１８０は、第１スキャナ２０５の副走査方向の移動の復路において、スキャナユニット１１０に、原稿の金属繊維がすき込まれている領域について、特殊原稿の判定処理を実行させる（Ｓ９０４）。
【０１１７】
すなわち、第１スキャナ２０５の副走査方向の移動の復路においては、スキャナユニット１１０によって、金属繊維がすき込まれた領域に、特殊原稿に特有なマークが印刷されているか否かを判定する処理が実行される。この処理は、マークの部分に金属繊維がすき込まれた特殊原稿を想定したものである。
【０１１８】
具体的には、露光照明ユニット２０３で金属繊維がすき込まれた領域を走査することにより、読取センサ１１１で金属繊維がすき込まれた領域の画像データを読み取る。読取センサ１１１で読み取った画像データは、画像記憶部１１３に記憶される。読取信号処理部１１２には、紙幣・有価証券等の特殊原稿に特有なマークの画像データが予め設定されており、読取信号処理部１１２は、画像記憶部１１３に記憶された画像データから予め設定された画像データを検出する処理を実行する。
【０１１９】
ステップＳ９０５において、読取信号処理部１１２が、読み取った画像データから予め設定された画像データを検出することができなかった場合には、その旨が制御ユニット１８０に報告される。その結果、制御ユニット１８０は、原稿が特殊原稿ではなく、一般の原稿であると判定し（Ｓ９０３）、特殊原稿判定処理を終了する。
【０１２０】
一方、ステップＳ９０５において、読取信号処理部１１２が、読み取った画像データから予め設定された画像データを検出した場合には、その旨が制御ユニット１８０に報告される。その結果、制御ユニット１８０は、原稿が紙幣・有価証券等の特殊原稿であると判定して（Ｓ９０６）、特殊原稿判定処理を終了する。
【０１２１】
上述した特殊原稿の判定処理を行った結果、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【０１２２】
このように、実施の形態７の特殊原稿判定装置が搭載された複写機によれば、原稿判別ユニット１６０で原稿中に金属繊維がすき込まれた領域を特定した後、スキャナユニット１１０で金属繊維がすき込まれた領域について、特殊原稿の判定処理を実行するため、原稿が特殊原稿であるか否かを２重にチェックすることが可能となり、特殊原稿の判定精度の向上を図ることができる。
【０１２３】
なお、実施の形態７では、原稿の走査の往路において、原稿判別ユニット１６０によって原稿中に金属繊維がすき込まれている領域を特定するための処理が実行され、原稿の走査の復路において、スキャナユニット１１０よって原稿判別ユニット１６０で特定された領域について、特殊原稿の判定処理が実行されるとしたが、両ユニットの動作タイミングを走査の往路と復路に限定するものではない。また、特殊原稿の判定処理を行うための方式については、マイクロ波を用いるものに限定するものではなく、他の方式を用いることも可能である。これらの点に関しては、実施の形態１で既に説明したため、ここでは詳細な説明を省略する。
【０１２４】
〔実施の形態８〕
実施の形態８の特殊原稿判定装置について、特殊原稿判定装置が搭載された複写機を例として説明する。図１０は、実施の形態８の特殊原稿判定装置が搭載された複写機のブロック構成図である。なお、図１０において、図１に示した構成と同一の構成については同一の符号を付すことにして説明を省略し、ここでは異なる点について説明することにする。
【０１２５】
図１０に示す複写機は、紙幣・有価証券等の特殊原稿の画像そのものや、色合い，印影，透かし等の特殊原稿の特徴を表した画像（以下「特殊原稿画像情報」と記述する）を少なくとも一つ記憶した特殊原稿画像情報記憶部１６６と、スキャナユニット１１０で判定対象の原稿から読み取った画像データを記憶する読取画像記憶部１６７と、読取画像記憶部１６７に記憶された画像データと特殊原稿画像情報記憶部１６６に記憶された特殊原稿画像情報とをそれぞれ比較して適合度を求め、求めた適合度が予め設定された基準値（閾値）を超えるか否かを判定する信号処理部１６８と、を有した特殊原稿画像判別ユニット１６５を備えている。なお、適合度は、例えば、読み取った画像データと特殊原稿画像情報とのマッチング処理等を行うことによって求めることができる。また、基準値として、少なくとも基準値ａおよび基準値ｂが設定されており、これらは基準値ａ＞基準値ｂの関係にあり、後述するように選択されて使用される。
【０１２６】
また、図１０において、原稿判別ユニット１６０は、金属繊維がすき込まれた紙幣・有価証券等の特殊原稿にマイクロ波を照射し得られる反射波のパターンを表した検出信号モデルを少なくとも一つ記憶した検出信号モデル記憶部１６４を有しており、信号処理部１６２が、読取対象の原稿にマイクロ波を照射して検出した検出信号と検出信号モデル記憶部１６４に記憶された検出信号モデルを比較して適合度を求め、求めた適合度が予め設定された基準値（閾値）を超えるか否かを判定するという構成となっている。なお、適合度は、上記と同様に、例えば、検出信号と検出信号モデルとのマッチング処理等を行うことによって求めることができる。また、基準値として、少なくとも基準値Ａおよび基準値Ｂが設定されており、これらは基準値Ａ＞基準値Ｂの関係にあり、後述するように選択されて使用される。
【０１２７】
制御ユニット１８０は、原稿判別ユニット１６０および特殊原稿画像判別ユニット１６５において求めた適合度が閾値を超えると判定された場合に、判定対象の原稿が特殊原稿であると判定する。なお、具体的な判定方法については後述する。
【０１２８】
さらに、実施の形態８においては、判定対象の原稿が特殊原稿であるか否かを判定するために、原稿判別ユニット１６０および特殊原稿画像判別ユニット１６５のいずれか一方または両方を操作ユニット１５０から指定することができるようになっている。加えて、原稿判別ユニット１６０および特殊原稿画像判別ユニット１６５のいずれか一方に異常が発生した場合には、制御ユニット１８０が正常なユニットを用いて特殊原稿か否かの判定を行うことができるようにすることもできる。
【０１２９】
次に、上述した構成を有する実施の形態１の特殊原稿判定装置が搭載された複写機による特殊原稿判定手順について、（１）原稿判別ユニット１６０のみを用いた処理，（２）特殊原稿画像判別ユニット１６５のみを用いた処理，（３）２つの判別ユニットを用いた処理の順で説明する。
【０１３０】
（１）原稿判別ユニット１６０のみを用いた処理
まず、操作ユニット１５０による選択により、または特殊原稿画像判別ユニット１６５に異常が発生したことにより、原稿判別ユニット１６０のみを用いて判定対象の原稿が特殊原稿であるか否かを判定する処理について説明する。図１１は、原稿判別ユニット１６０のみを用いた特殊原稿判定手順を示すフローチャートである。
【０１３１】
まず、原稿がコンタクトガラス２０１上に載置され、操作ユニット１５０からコピー開始が指示されると、第１スキャナ２０５が原稿の副走査方向に移動を開始し、スキャナユニット１１０によって画像データの読み取りが行われる。
【０１３２】
マイクロ波センサ１６１は、この副走査方向への移動に伴って原稿にマイクロ波を照射して走査し、照射したマイクロ波の反射波を検出して、検出したマイクロ波のレベルに応じた検出信号を出力する（Ｓ１１０１）。マイクロ波センサ１６１から出力された検出信号は、信号処理部１６２で所定の信号処理が施されて信号記憶部１６３に記憶される。
【０１３３】
続いて、信号処理部１６２は、信号記憶部１６３に記憶された検出信号と検出信号モデル記憶部１６４に記憶された検出信号モデルとの適合度を求める（Ｓ１１０２）。
【０１３４】
ステップＳ１１０２で適合度を求めた後、信号処理部１６２は、基準値として基準値Ａを選択し、求めた適合度が基準値Ａを超えるか否かを判定する（Ｓ１１０３）。
【０１３５】
その後、信号処理部１６２はステップＳ１１０３における判定結果を制御ユニット１８０に報告する。制御ユニット１８０は、ステップＳ１１０３において適合度が基準値Ａを超えると判定された場合に、判定対象の原稿が金属繊維のすき込まれた紙幣・有価証券等の特殊原稿であると判定し（Ｓ１１０４）、適合度が基準値Ａを超えないと判定された場合に、判定対象の原稿は特殊原稿ではない一般の原稿であると判定し（Ｓ１１０５）、特殊原稿判定処理を終了する。
【０１３６】
このようにして、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【０１３７】
（２）特殊原稿画像判別ユニット１６５のみを用いた処理
つぎに、操作ユニット１５０による選択により、または原稿判別ユニット１６０に異常が発生したことにより、特殊原稿画像判別ユニット１６５のみを用いて判定対象の原稿が特殊原稿であるか否かを判定する処理について説明する。図１２は、特殊原稿画像判別ユニット１６５のみを用いた特殊原稿判定手順を示すフローチャートである。
【０１３８】
まず、原稿がコンタクトガラス２０１上に載置され、操作ユニット１５０からコピー開始が指示されると、第１スキャナ２０５が原稿の副走査方向に移動を開始し、スキャナユニット１１０によって画像データの読み取りが行われる（Ｓ１２０１）。具体的には、露光照明ユニット２０３が光を原稿に照射して走査することにより、読取センサ１１１で画像データを読み取り、信号処理部１６８は、読取センサ１１１で読み取った画像データを入力し、読取画像記憶部１６７に記憶する。
【０１３９】
続いて、信号処理部１６８は、読取画像記憶部１６７に記憶された画像データと特殊原稿画像情報記憶部１６６に記憶された特殊原稿情報との適合度を求める（Ｓ１２０２）。
【０１４０】
ステップＳ１２０２で適合度を求めた後、信号処理部１６８は、基準値として基準値ａを選択し、求めた適合度が基準値ａを超えるか否かを判定する（Ｓ１２０３）。
【０１４１】
その後、信号処理部１６８はステップＳ１２０３における判定結果を制御ユニット１８０に報告する。制御ユニット１８０は、ステップＳ１２０３において適合度が基準値ａを超えると判定された場合に、判定対象の原稿が紙幣・有価証券等の特殊原稿であると判定し（Ｓ１２０４）、適合度が基準値ａを超えないと判定された場合に、判定対象の原稿は特殊原稿ではない一般の原稿であると判定し（Ｓ１２０５）、特殊原稿判定処理を終了する。
【０１４２】
このようにして、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【０１４３】
（３）２つの判別ユニットを用いた処理
さらに、操作ユニット１５０による選択により、原稿判別ユニット１６０および特殊原稿画像判別ユニット１６５を用いて判定対象の原稿が特殊原稿であるか否かを判定する処理について説明する。図１３は、２つの判別ユニットを用いた特殊原稿判定手順を示すフローチャートである。
【０１４４】
まず、原稿がコンタクトガラス２０１上に載置され、操作ユニット１５０からコピー開始が指示されると、第１スキャナ２０５が原稿の副走査方向に移動を開始し、画像データの読み取りおよびマイクロ波による原稿走査が行われる（Ｓ１３０１）。
【０１４５】
具体的には、露光照明ユニット２０３が光を原稿に照射して走査することによって読取センサ１１１で画像データを読み取り、特殊原稿画像判別ユニット１６５の信号処理部１６８は、読取センサ１１１で読み取った画像データを入力し、読取画像記憶部１６７に記憶する。また、原稿判別ユニット１６０のマイクロ波センサ１６１は、副走査方向への移動に伴って原稿にマイクロ波を照射して走査し、照射したマイクロ波の反射波を検出して、検出したマイクロ波のレベルに応じた検出信号を出力する。マイクロ波センサ１６１から出力された検出信号は、信号処理部１６２で所定の信号処理が施されて信号記憶部１６３に記憶される。
【０１４６】
続いて、原稿判別ユニット１６０の信号処理部１６２は、信号記憶部１６３に記憶された検出信号と検出信号モデル記憶部１６４に記憶された検出信号モデルとの適合度を求める（Ｓ１３０２）。
【０１４７】
ステップＳ１３０２で適合度を求めた後、信号処理部１６２は、基準値として基準値Ａを選択し、求めた適合度が基準値Ａを超えるか否かを判定する（Ｓ１３０３）。
【０１４８】
その後、信号処理部１６２はステップＳ１３０３における判定結果を制御ユニット１８０に報告する。制御ユニット１８０は、ステップＳ１３０３において適合度が基準値Ａを超えると判定された場合に、判定対象の原稿が紙幣・有価証券等の特殊原稿であると判定する（Ｓ１３１１）。一方、適合度が基準値Ａを超えないと判定された場合に、特殊原稿画像判別ユニット１６５を制御して、特殊原稿判定処理を続行する。
【０１４９】
特殊原稿画像判別ユニット１６５の信号処理部１６８は、読取画像記憶部１６７に記憶された画像データと特殊原稿画像情報記憶部１６６に記憶された特殊原稿情報との適合度を求める（Ｓ１３０４）。
【０１５０】
ステップＳ１３０４で適合度を求めた後、信号処理部１６８は、基準値として基準値ａを選択し、求めた適合度が基準値ａを超えるか否かを判定する（Ｓ１３０５）。
【０１５１】
その後、信号処理部１６８はステップＳ１３０５における判定結果を制御ユニット１８０に報告する。制御ユニット１８０は、ステップＳ１３０５において適合度が基準値ａを超えると判定された場合に、判定対象の原稿が紙幣・有価証券等の特殊原稿であると判定する（Ｓ１３１１）。一方、適合度が基準値ａを超えないと判定された場合に、第１スキャナ２０５および原稿判別ユニット１６０を制御して、画像データの読み取りおよびマイクロ波による原稿走査を行い、特殊原稿判定処理を続行する。
【０１５２】
具体的には、露光照明ユニット２０３が光を原稿に照射して走査することによって読取センサ１１１で画像データを読み取り、信号処理部１６８は、読取センサ１１１で読み取った画像データを入力し、読取画像記憶部１６７に記憶する。また、マイクロ波センサ１６１は、副走査方向への移動に伴って原稿にマイクロ波を照射して走査し、照射したマイクロ波の反射波を検出して、検出したマイクロ波のレベルに応じた検出信号を出力する。マイクロ波センサ１６１から出力された検出信号は、信号処理部１６２で所定の信号処理が施されて信号記憶部１６３に記憶される。
【０１５３】
続いて、原稿判別ユニット１６０の信号処理部１６２は、信号記憶部１６３に記憶された検出信号と検出信号モデル記憶部１６４に記憶された検出信号モデルとの適合度を求める（Ｓ１３０７）。
【０１５４】
ステップＳ１３０７で適合度を求めた後、信号処理部１６２は、基準値として基準値Ｂを選択し、求めた適合度が基準値Ｂを超えるか否かを判定する（Ｓ１３０８）。
【０１５５】
その後、信号処理部１６２はステップＳ１３０８における判定結果を制御ユニット１８０に報告する。制御ユニット１８０は、ステップＳ１３０８において適合度が基準値Ｂを超えないと判定された場合に、判定対象の原稿が紙幣・有価証券等の特殊原稿ではなく、一般原稿であると判定して処理を終了する（Ｓ１３１２）。一方、適合度が基準値Ｂを超えると判定された場合は、特殊原稿画像判別ユニット１６５を制御して、特殊原稿判定処理を続行する。
【０１５６】
特殊原稿画像判別ユニット１６５の信号処理部１６８は、読取画像記憶部１６７に記憶された画像データと特殊原稿画像情報記憶部１６６に記憶された特殊原稿情報との適合度を求める（Ｓ１３０９）。
【０１５７】
ステップＳ１３０９で適合度を求めた後、信号処理部１６８は、基準値として基準値ｂを選択し、求めた適合度が基準値ｂを超えるか否かを判定する（Ｓ１３１０）。
【０１５８】
その後、信号処理部１６８はステップＳ１３１０における判定結果を制御ユニット１８０に報告する。制御ユニット１８０は、ステップＳ１３１０において適合度が基準値ｂを超えると判定された場合に、判定対象の原稿が紙幣・有価証券等の特殊原稿であると判定し（Ｓ１３１１）、適合度が基準値ｂを超えないと判定された場合に、判定対象の原稿は特殊原稿ではない一般の原稿であると判定し（Ｓ１３１２）、特殊原稿判定処理を終了する。
【０１５９】
このようにして、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【０１６０】
なお、上述した実施の形態８の特殊原稿判定処理においては、原稿判別ユニット１６０および特殊原稿画像判別ユニット１６５のいずれか一方による判定処理並びに両方を組み合わせた場合の１回目の判定処理で、値が大きな基準値Ａと基準値ａを用いて適合度との比較を行って厳格な判定処理を行い、一方、両方を組み合わせた場合の２回目の判定処理では、値が小さな基準値Ｂと基準値ｂを用いて適合度との比較を行ってやや緩和した判定処理を行うことにしている。しかし、どのような値の基準値を用いて適合度との比較を行うかは自由に設定変更することが可能であり、実施の形態８の場合に限定するものではない。
【０１６１】
また、図１３に示したフローチャートにおいては、画像データの読み取りおよびマイクロ波による走査を２回行うことにしているが（ステップＳ１３０１およびＳ１３０６）、この処理を１回にして、１回の処理で得た画像データおよび検出信号を用いて判定処理を行うことにしても良い。加えて、画像データの読み取りおよびマイクロ波による走査のタイミングは、実施の形態１で説明したように、同時でなくても良く、任意のタイミングで行うことができる。
【０１６２】
以上説明したように、実施の形態８の特殊原稿判定装置が搭載された複写機によれば、原稿判別ユニット１６０および特殊原稿画像判別ユニット１６５のいずれにおいても、マイクロ波の反射波の検出信号および画像データと特殊原稿を表したモデルとの適合度を求めて特殊原稿か否かを判定するために利用することにしたため、特殊原稿を確実に判別することができると共に、特殊原稿ではない一般原稿を特殊原稿であると判定してしまうような誤判定を防止することができ、特殊原稿判定精度の向上を図ることができる。
【０１６３】
また、原稿判別ユニット１６０および特殊原稿画像判別ユニット１６５の２つを用いて特殊原稿の判定処理を行うことができるため、２重３重のチェックが可能となり、特殊原稿判定精度の向上を図ることができる。また、適合度と比較する基準値を任意に変更することができるため、厳格な判定処理や緩和した判定処理等を自由に組み合わせて行うことができる。
【０１６４】
なお、実施の形態８で説明した適合度を用いた特殊原稿判定処理は、既に説明した実施の形態１〜７の特殊原稿判定装置に対しても適用可能であることは明らかである。
【０１６５】
〔実施の形態９〕
実施の形態９の特殊原稿判定装置について、特殊原稿判定装置が搭載された複写機を例として説明する。図１４は、実施の形態９の特殊原稿判定装置が搭載された複写機のブロック構成図である。なお、図１４において、図１０に示した構成と同一の構成については同一の符号を付すことにして説明を省略し、ここでは異なる点について説明することにする。
【０１６６】
図１４に示す原稿判別ユニット１６０は、実施の形態８で説明した適合度を用いるのではなく、判定対象の原稿にマイクロ波を照射した走査して検出した反射波の検出信号を用いて、原稿に金属繊維がすき込まれているか否かを判定するものであって、実施の形態１〜７で説明したものと同様の構成となっている。すなわち、原稿判別ユニット１６０の信号処理部１６２は、マイクロ波の検出信号のレベルが、予め設定された基準値（閾値）を超えるか否かを判定する処理を行い、検出信号のレベルが基準値を超える場合に原稿に金属繊維がすき込まれていると判定することができるようにしたものである。
【０１６７】
次に、上述した構成を有する実施の形態１の特殊原稿判定装置が搭載された複写機による特殊原稿判定手順について、（１）原稿判別ユニット１６０のみを用いた処理，（２）２つの判別ユニットを用いた処理の順で説明する。なお、特殊原稿画像判別ユニット１６５のみを用いた処理については、図１２を用いて説明した通りであるため、ここではその説明を省略する。
【０１６８】
（１）原稿判別ユニット１６０のみを用いた処理
まず、操作ユニット１５０による選択により、または特殊原稿画像判別ユニット１６５に異常が発生したことにより、原稿判別ユニット１６０のみを用いて判定対象の原稿が特殊原稿であるか否かを判定する処理について説明する。図１５は、原稿判別ユニット１６０のみを用いた特殊原稿判定手順を示すフローチャートである。
【０１６９】
まず、原稿がコンタクトガラス２０１上に載置され、操作ユニット１５０からコピー開始が指示されると、第１スキャナ２０５が原稿の副走査方向に移動を開始し、スキャナユニット１１０によって画像データの読み取りが行われる。
【０１７０】
マイクロ波センサ１６１は、この副走査方向への移動に伴って原稿にマイクロ波を照射して走査し、照射したマイクロ波の反射波を検出して、検出したマイクロ波のレベルに応じた検出信号を出力する（Ｓ１５０１）。マイクロ波センサ１６１から出力された検出信号は、信号処理部１６２で所定の信号処理が施されて信号記憶部１６３に記憶される。
【０１７１】
続いて、信号処理部１６２は、検出信号のレベルが予め設定された基準値を超えるか否かを判定し（Ｓ１５０２）、判定結果を制御ユニット１８０に報告する。
【０１７２】
制御ユニット１８０は、ステップＳ１５０２において検出信号のレベルが基準値を超えると判定された場合に、判定対象の原稿が金属繊維のすき込まれた紙幣・有価証券等の特殊原稿であると判定し（Ｓ１５０３）、検出信号のレベルが基準値を超えないと判定された場合に、判定対象の原稿は特殊原稿ではない一般の原稿であると判定し（Ｓ１５０４）、特殊原稿判定処理を終了する。
【０１７３】
このようにして、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【０１７４】
（２）２つの判別ユニットを用いた処理
つぎに、操作ユニット１５０による選択により、原稿判別ユニット１６０および特殊原稿画像判別ユニット１６５を用いて判定対象の原稿が特殊原稿であるか否かを判定する処理について説明する。図１６は、２つの判別ユニットを用いた特殊原稿判定手順を示すフローチャートである。
【０１７５】
まず、原稿がコンタクトガラス２０１上に載置され、操作ユニット１５０からコピー開始が指示されると、第１スキャナ２０５が原稿の副走査方向に移動を開始し、画像データの読み取りおよびマイクロ波による原稿走査が行われる（Ｓ１６０１）。
【０１７６】
具体的には、露光照明ユニット２０３が光を原稿に照射して走査することによって読取センサ１１１で画像データを読み取り、信号処理部１６８は、読取センサ１１１で読み取った画像データを入力し、読取画像記憶部１６７に記憶する。また、マイクロ波センサ１６１は、副走査方向への移動に伴って原稿にマイクロ波を照射して走査し、照射したマイクロ波の反射波を検出して、検出したマイクロ波のレベルに応じた検出信号を出力する。マイクロ波センサ１６１から出力された検出信号は、信号処理部１６２で所定の信号処理が施されて信号記憶部１６３に記憶される。
【０１７７】
続いて、原稿判別ユニット１６０の信号処理部１６２は、信号記憶部１６３に記憶された検出信号のレベルが予め設定された基準値を超えるか否かを判定し（Ｓ１６０２）、判定結果を制御ユニット１８０に報告する。
【０１７８】
制御ユニット１８０は、ステップＳ１６０２において検出信号のレベルが基準値を超えないと判定された場合に、特殊原稿画像判別ユニット１６５を制御して、特殊原稿判定処理を続行する。
【０１７９】
特殊原稿画像判別ユニット１６５の信号処理部１６８は、読取画像記憶部１６７に記憶された画像データと特殊原稿画像情報記憶部１６６に記憶された特殊原稿情報との適合度を求める（Ｓ１６０３）。
【０１８０】
ステップＳ１６０３で適合度を求めた後、信号処理部１６８は、基準値として基準値ａを選択し、求めた適合度が基準値ａを超えるか否かを判定し（Ｓ１６０４）、判定結果を制御ユニット１８０に報告する。
【０１８１】
制御ユニット１８０は、ステップＳ１６０４において適合度が基準値ａを超えないと判定された場合に、判定対象の原稿が紙幣・有価証券等の特殊原稿ではなく、一般原稿であると判定する（Ｓ１６０５）。一方、適合度が基準値ａを超えると判定された場合に、判定対象の原稿が紙幣・有価証券等の特殊原稿であると判定し（Ｓ１６０８）、処理を終了する。
【０１８２】
一方、制御ユニット１８０は、ステップＳ１６０２において検出信号のレベルが基準値を超えると判定された場合に、特殊原稿画像判別ユニット１６５を制御して、特殊原稿判定処理を続行する。
【０１８３】
特殊原稿画像判別ユニット１６５の信号処理部１６８は、読取画像記憶部１６７に記憶された画像データと特殊原稿画像情報記憶部１６６に記憶された特殊原稿情報との適合度を求める（Ｓ１６０６）。
【０１８４】
ステップＳ１６０６で適合度を求めた後、信号処理部１６８は、基準値として基準値ｂを選択し、求めた適合度が基準値ｂを超えるか否かを判定し（Ｓ１６０７）、判定結果を制御ユニット１８０に報告する。
【０１８５】
制御ユニット１８０は、ステップＳ１６０７において適合度が基準値ｂを超えないと判定された場合に、判定対象の原稿が紙幣・有価証券等の特殊原稿ではなく、一般原稿であると判定する（Ｓ１６０５）。一方、適合度が基準値ｂを超えると判定された場合に、判定対象の原稿が紙幣・有価証券等の特殊原稿であると判定し（Ｓ１６０８）、処理を終了する。
【０１８６】
このようにして、制御ユニット１８０が、原稿が紙幣・有価証券等の特殊原稿ではなく、一般の原稿であると判定した場合には、スキャナユニット１１０で読み取った画像データを用いて、通常のコピーを取るための処理が実行される。また、制御ユニット１８０が、原稿が紙幣・有価証券等の特殊原稿であると判定した場合には、特殊原稿の違法複写を防止するため、コピーの中止処理または特殊な画像処理を施して、原稿の画像と異なる画像のコピーを出力する等の処理が実行される。
【０１８７】
なお、上述した実施の形態９の特殊原稿判定処理においては、原稿判別ユニット１６０で検出信号のレベルが基準値を超えないと判定された場合に、特殊原稿画像判別ユニット１６５で値が大きな基準値ａを用いて適合度との比較を行って厳格な判定処理を行い、一方、検出信号のレベルが基準値を超えると判定された場合に、値が小さな基準値ｂを用いて適合度との比較を行ってやや緩和した判定処理を行うことにしている。しかし、どのような値の基準値を用いて適合度との比較を行うかは自由に設定変更することが可能であり、実施の形態９の場合に限定するものではない。
【０１８８】
また、画像データの読み取りおよびマイクロ波による走査のタイミングは、ステップＳ１６０１において同時に行うことに限定するものではなく、実施の形態１で説明したように、任意のタイミングで行うことができる。
【０１８９】
以上説明したように、実施の形態９の特殊原稿判定装置が搭載された複写機によれば、原稿判別ユニット１６０において検出信号のレベルが基準値を超えるか否かで原稿中の金属繊維の存在を判定することにしたため、適合度を求める場合と比べて判定処理を簡素化することができる。すなわち、判定対象の原稿が金属繊維のすき込まれた特殊原稿か否かを判定する場合には、原稿中に金属繊維がすき込まれているか否かがわかれば良い。したがって、実施の形態９では、判別ユニットの特性に応じた処理を行うことにより、処理の簡素化および特殊原稿判定精度の向上を図ることができる。
【０１９０】
なお、上述した実施の形態１〜９においては、判定対象の原稿が特殊原稿であるか否かの最終的な判断のみを制御ユニット１８０で行うことにしているが、原稿判別ユニット１６０，特殊原稿画像判別ユニット１６５および制御ユニット１８０における処理の分担は自由に設計・変更することができる。例えば、実施の形態８において、原稿判別ユニット１８０においては、検出信号と検出信号モデルとの適合度のみを求め、適合度が基準値を超えるか否かの判定を制御ユニット１８０で行うことにしても良い。
【０１９１】
また、実施の形態１〜９においてフローチャート（図３〜図９，図１１〜図１３，図１５および図１６）を用いて説明した特殊原稿判定手順を、特殊原稿判定プログラムとしてフロッピーディスク，ハードディスク，ＣＤ−ＲＯＭ，ＤＶＤ等のコンピュータが読取可能な記憶媒体に格納して提供することができる。
【０１９２】
【発明の効果】
以上説明したように、本発明の特殊原稿判定装置（請求項１）によれば、走査の往路で、原稿が特殊原稿であるか否かを判定するための情報を検出する第１の検出手段と、走査の復路で、第１の検出手段と異なる検出方法を用いて原稿から特殊原稿であるか否かを判定するための情報を検出する第２の検出手段と、第１または第２の検出手段の少なくとも一方で検出された情報に基づいて、原稿が特殊原稿であるか否かを判定する判定手段と、を備えたため、特殊原稿判定処理の高精度化を図ることができる。
【０１９３】
また、本発明の特殊原稿判定装置（請求項２）によれば、請求項１に記載の特殊原稿判定装置において、第１または第２の検出手段の一方が、原稿にマイクロ波を照射して走査し、照射したマイクロ波の反射波を検出し、検出したマイクロ波の反射波を用いて原稿にすき込まれた金属繊維を検出することにより、原稿が特殊原稿であるか否かを判定するための情報を検出する金属繊維検出手段であり、第１または第２の検出手段の他方が、原稿に光を照射して走査し、原稿から画像データを光学的に読み取り、読み取った画像データから特殊原稿を表す画像を検出することにより、原稿から特殊原稿であるか否かを判定するための情報を検出する特殊原稿画像検出手段であるため、原稿が紙幣・有価証券等の特殊原稿であるか否かを極めて容易に判定することができる。
【０１９４】
また、本発明の特殊原稿判定装置（請求項３）によれば、請求項１に記載の特殊原稿判定装置において、第１または第２の検出手段の一方が、金属繊維がすき込まれた特殊原稿にマイクロ波を照射した場合の反射波モデルを少なくとも一つ有し、原稿にマイクロ波を照射して走査し、照射したマイクロ波の反射波を検出し、検出した反射波と反射波モデルとの適合度を求め、求めた適合度が予め設定された閾値を超えるか否かを判定することにより、原稿が特殊原稿であるか否かを判定するための情報を検出する金属繊維検出手段であり、第１または第２の検出手段の他方が、特殊原稿の画像を表した特殊原稿画像情報を少なくとも一つ有し、原稿に光を照射して走査し、原稿から画像データを光学的に読み取り、読み取った画像データと特殊原稿画像情報との適合度を求め、求めた適合度が予め設定された閾値を超えるか否かを判定することにより、原稿が特殊原稿であるか否かを判定するための情報を検出する特殊原稿画像検出手段であるため、原稿が紙幣・有価証券等の特殊原稿であるか否かを極めて容易に判定することができる。また、金属繊維検出手段および特殊原稿検出手段のいずれにおいても、マイクロ波の反射波および画像データと特殊原稿を表したモデルとの適合度を求めて特殊原稿か否かを判定するために利用することにしたため、特殊原稿を確実に判別することができると共に、特殊原稿ではない一般原稿を特殊原稿であると判定してしまうような誤判定を防止することができ、特殊原稿判定精度の向上を図ることができる。
【０１９５】
また、本発明の特殊原稿判定装置（請求項４）によれば、請求項１に記載の特殊原稿判定装置において、第１または第２の検出手段の一方が、原稿にマイクロ波を照射して走査し、照射したマイクロ波の反射波を検出し、検出したマイクロ波の反射波のレベルが予め設定された閾値を超えるか否かを判定することにより、原稿が特殊原稿であるか否かを判定するための情報を検出する金属繊維検出手段であり、第１または第２の検出手段の他方が、特殊原稿の画像を表した特殊原稿画像情報を少なくとも一つ有し、原稿に光を照射して走査し、原稿から画像データを光学的に読み取り、読み取った画像データと特殊原稿画像情報との適合度を求め、求めた適合度が予め設定された閾値を超えるか否かを判定することにより、原稿が特殊原稿であるか否かを判定するための情報を検出する特殊原稿画像検出手段であるため、原稿が紙幣・有価証券等の特殊原稿であるか否かを極めて容易に判定することができる。また、２つの検出手段による検出対象の相違に基づいて、それぞれ異なる処理で原稿が特殊原稿であるか否かを判定するための情報を検出することにしたため、判別ユニットの特性に応じた処理を行うことが可能となり、処理の簡素化および特殊原稿判定精度の向上を図ることができる。
【０１９６】
また、本発明の特殊原稿判定装置（請求項５）によれば、請求項１〜４のいずれか一つに記載の特殊原稿判定装置において、第２の検出手段が、第１の検出手段が原稿の走査を開始してから所定の時間が経過した後に原稿の走査を開始するため、複数の検出手段を組み合わせて原稿が特殊原稿であるか否かを判定する場合であっても、順序よく特殊原稿の判定処理を実行することができる。
【０１９７】
また、本発明の特殊原稿判定装置（請求項６）によれば、請求項５に記載の特殊原稿判定装置において、所定の時間とは、少なくとも判定手段が第１の検出手段で検出された情報を用いて原稿が特殊原稿であるか否かの判定を終了するまでの時間であるため、第２の検出手段を用いて原稿が特殊原稿であるか否かを判定する際に、第１の検出手段の検出結果を利用することができる。
【０１９９】
また、本発明の特殊原稿判定装置（請求項７）によれば、請求項１〜６のいずれか一つに記載の特殊原稿判定装置において、第１および第２の検出手段が、情報を検出するための検出モードとして第１の検出モードと第１の検出モードより高精度で情報の検出が可能な第２の検出モードとを有し、第２の検出手段が、判定手段が第１の検出手段で検出された情報を用いて原稿が特殊原稿であると判定した場合に、第２の検出モードを用いて情報を検出するため、原稿が特殊原稿であるか否かを２重にチェックすることが可能となり、特殊原稿の判定精度の向上を図ることができる。
【０２００】
また、本発明の特殊原稿判定装置（請求項８）によれば、請求項１〜６のいずれか一つに記載の特殊原稿判定装置において、第２の検出手段が、判定手段が第１の検出手段で検出された情報を用いて原稿が特殊原稿であるか否かの判定を終了した場合に情報を検出するための処理を中止し、判定手段が第１の検出手段で検出された情報を用いて原稿が特殊原稿であるか否かの判定を行うことが不可能な場合に情報を検出するための処理を行い、判定手段が、第１の検出手段で検出された情報を用いて原稿が特殊原稿であるか否かの判定を行うことが不可能な場合に、第２の検出手段で検出された情報を用いて原稿が特殊原稿であるか否かを判定するため、第１の検出手段に異常または特殊原稿の判定処理を実行できない場合が生じた場合であっても、第２の検出手段で特殊原稿の判定処理を実行することができる。
【０２０１】
また、本発明の特殊原稿判定装置（請求項９）によれば、請求項８に記載の特殊原稿判定装置において、第１の検出手段が金属繊維検出手段であり、第２の検出手段が特殊原稿画像検出手段である場合に、原稿が特殊原稿であるか否かの判定を行うことが不可能な場合とは、第１の検出手段で原稿を覆う圧板に金属部材が用いられていることが検出された場合であるため、特殊原稿の判定処理における誤判定を容易に防止することができる。
【０２０２】
また、本発明の特殊原稿判定装置（請求項１０）によれば、請求項８に記載の特殊原稿判定装置において、原稿が特殊原稿であるか否かの判定を行うことが不可能な場合とは、第１の検出手段に異常が発生した場合であるため、特殊原稿の判定処理における誤判定を容易に防止することができる。
【０２０３】
また、本発明の特殊原稿判定装置（請求項１１）によれば、請求項１〜６のいずれか一つに記載の特殊原稿判定装置において、判定手段が、第１の検出手段で検出された情報に基づいて原稿が特殊原稿ではないと判定した場合に、さらに、第２の検出手段で検出された情報に基づいて原稿が特殊原稿であるか否かを判定するため、原稿が特殊原稿であるか否かを２重にチェックすることが可能となり、特殊原稿の判定精度の向上を図ることができる。
【０２０４】
また、本発明の特殊原稿判定装置（請求項１２）によれば、請求項１〜６のいずれか一つに記載の特殊原稿判定装置において、判定手段が、第１の検出手段で検出された情報に基づいて原稿が特殊原稿であると判定した場合に、さらに、第２の検出手段で検出された情報に基づいて原稿が特殊原稿であるか否かを判定するため、原稿が特殊原稿であるか否かを２重にチェックすることが可能となり、特殊原稿の判定精度の向上を図ることができる。
【０２０５】
また、本発明の特殊原稿判定装置（請求項１３）によれば、請求項１〜６のいずれか一つに記載の特殊原稿判定装置において、第１の検出手段が特殊原稿画像検出手段であり、第２の検出手段が金属繊維検出手段である場合に、第２の検出手段が、第１の検出手段で原稿が存在する領域を特定した後、特定した領域を走査して情報を検出するため、特殊原稿の判定処理を受けることを避けて、紙幣・有価証券等の特殊原稿の違法複写を行おうとした場合であっても、確実に特殊原稿であるか否かの判定処理を実行することができる。
【０２０６】
また、本発明の特殊原稿判定装置（請求項１４）によれば、請求項１〜６のいずれか一つに記載の特殊原稿判定装置において、第１の検出手段が特殊原稿画像検出手段であり、第２の検出手段が金属繊維検出手段である場合に、第２の検出手段が、第１の検出手段で原稿を走査して特殊原稿に特有な画像が存在する領域を特定した後、特定した領域を走査して情報を検出するため、原稿が特殊原稿であるか否かを２重にチェックすることが可能となり、特殊原稿の判定精度の向上を図ることができる。
【０２０７】
また、本発明の特殊原稿判定装置（請求項１５）によれば、請求項１〜６のいずれか一つに記載の特殊原稿判定装置において、第１の検出手段が金属繊維検出手段であり、第２の検出手段が特殊原稿画像検出手段である場合に、第２の検出手段は、第１の検出手段で原稿を走査して原稿中にすき込まれた金属繊維の存在する領域を特定した後、特定した領域を走査して情報を検出するため、原稿が特殊原稿であるか否かを２重にチェックすることが可能となり、特殊原稿の判定精度の向上を図ることができる。
【０２０８】
また、本発明の特殊原稿判定装置（請求項１６）によれば、請求項３〜６のいずれか一つに記載の特殊原稿判定装置において、さらに、金属繊維検出手段および特殊原稿画像検出手段のいずれか一方または両方を特殊原稿か否かを判定するための情報を検出するための検出手段として選択する選択手段を備え、金属繊維検出手段または／および特殊原稿画像検出手段が、閾値として選択手段の選択結果に応じて異なる値を用いるため、厳格な判定処理や緩和した判定処理等を状況に応じて自由に選択して実行することができ、特殊原稿判定装置の利便性の向上を図ることができる。
【０２０９】
また、本発明の特殊原稿判定装置（請求項１７）によれば、請求項３に記載の特殊原稿判定装置において、金属繊維検出手段が、適合度が第１の閾値を超えるか否かを判定し、判定手段が、金属繊維検出手段で適合度が第１の閾値を超えると判定された場合に原稿が特殊原稿であると判定し、特殊原稿画像検出手段が、金属繊維検出手段で適合度が第１の閾値を超えないと判定された場合に求めた適合度が第２の閾値を超えるか否かを判定し、判定手段が、特殊原稿画像検出手段で適合度が第２の閾値を超えると判定された場合に原稿が特殊原稿であると判定し、金属繊維検出手段が、特殊原稿画像検出手段で適合度が第２の閾値を超えないと判定された場合に求めた適合度が第１の閾値と異なる第３の閾値を超えるか否かを判定し、判定手段が、金属繊維検出手段で適合度が第３の閾値を超えないと判定された場合に原稿が特殊原稿ではないと判定し、特殊原稿画像検出手段が、金属繊維検出手段で適合度が第３の閾値を超えると判定された場合に求めた適合度が第２の閾値と異なる第４の閾値を超えるか否かを判定し、判定手段が、特殊原稿画像検出手段で適合度が第４の閾値を超えると判定された場合に原稿が特殊原稿であると判定し、特殊原稿画像検出手段で適合度が第４の閾値を超えないと判定された場合に原稿が特殊原稿ではないと判定するため、厳格な判定処理や緩和した判定処理等を自由に組み合わせて行うことができる。
【０２１０】
さらに、本発明の特殊原稿判定装置（請求項１８）によれば、請求項４に記載の特殊原稿判定装置において、金属繊維検出手段が、検出したマイクロ波の反射波のレベルが予め設定された第１の閾値を超えるか否かを判定し、特殊原稿画像検出手段が、金属繊維検出手段で適合度が閾値を超えないと判定された場合に求めた適合度が第２の閾値を超えるか否かを判定し、判定手段が、特殊原稿画像検出手段で適合度が第２の閾値を超えると判定された場合に原稿が特殊原稿であると判定し、特殊原稿画像検出手段で適合度が第２の閾値を超えないと判定された場合に原稿が特殊原稿ではないと判定し、特殊原稿画像検出手段が、金属繊維検出手段で適合度が第１の閾値を超えると判定された場合に読み取った画像データと特殊原稿画像情報との適合度を求め、求めた適合度が第２の閾値と異なる第３の閾値を超えるか否かを判定し、判定手段が、特殊原稿画像検出手段で適合度が第３の閾値を超えると判定された場合に原稿が特殊原稿であると判定し、特殊原稿画像検出手段で適合度が第３の閾値を超えないと判定された場合に原稿が特殊原稿ではないと判定するため、厳格な判定処理や緩和した判定処理等を自由に組み合わせて行うことができる。
【図面の簡単な説明】
【図１】本発明の実施の形態１に係る特殊原稿判定装置が搭載された複写機のブロック構成図である。
【図２】本発明の実施の形態１に係る特殊原稿判定装置が搭載された複写機の画像読取部の構成図である。
【図３】本発明の実施の形態１に係る特殊原稿判定装置が搭載された複写機による特殊原稿判定手順を示すフローチャートである。
【図４】本発明の実施の形態２に係る特殊原稿判定装置が搭載された複写機による特殊原稿判定手順を示すフローチャートである。
【図５】本発明の実施の形態３に係る特殊原稿判定装置が搭載された複写機による特殊原稿判定手順を示すフローチャートである。
【図６】本発明の実施の形態４に係る特殊原稿判定装置が搭載された複写機による特殊原稿判定手順を示すフローチャートである。
【図７】本発明の実施の形態５に係る特殊原稿判定装置が搭載された複写機による特殊原稿判定手順を示すフローチャートである。
【図８】本発明の実施の形態６に係る特殊原稿判定装置が搭載された複写機による特殊原稿判定手順を示すフローチャートである。
【図９】本発明の実施の形態７に係る特殊原稿判定装置が搭載された複写機による特殊原稿判定手順を示すフローチャートである。
【図１０】本発明の実施の形態８に係る特殊原稿判定装置が搭載された複写機のブロック構成図である。
【図１１】本発明の実施の形態８に係る特殊原稿判定装置が搭載された複写機において、図１０に示した原稿判別ユニットのみを用いた特殊原稿判定手順を示すフローチャートである。
【図１２】本発明の実施の形態８に係る特殊原稿判定装置が搭載された複写機において、図１０に示した特殊原稿画像判別ユニットのみを用いた特殊原稿判定手順を示すフローチャートである。
【図１３】本発明の実施の形態８に係る特殊原稿判定装置が搭載された複写機において、図１０に示した２つの判別ユニットを用いた特殊原稿判定手順を示すフローチャートである。
【図１４】本発明の実施の形態９に係る特殊原稿判定装置が搭載された複写機のブロック構成図である。
【図１５】本発明の実施の形態９に係る特殊原稿判定装置が搭載された複写機において、図１４に示した原稿判別ユニットのみを用いた特殊原稿判定手順を示すフローチャートである。
【図１６】本発明の実施の形態９に係る特殊原稿判定装置が搭載された複写機において、図１４に示した２つの判別ユニットを用いた特殊原稿判定手順を示すフローチャートである。
【符号の説明】
１１０      スキャナユニット
１１１      読取センサ
１１２      読取信号処理部
１１３      画像記憶部
１２０      画像処理ユニット
１３０      書込処理ユニット
１４０      プリンタユニット
１５０      操作ユニット
１６０      原稿判別ユニット
１６１      マイクロ波センサ
１６２，１６３，１６８      信号処理部
１６４      検出信号モデル記憶部
１６５      特殊原稿画像判別ユニット
１６６      特殊原稿画像記憶部
１６７      読取画像記憶部
１８０      制御ユニット
２０１      コンタクトガラス
２０２      圧板
２０３      露光照明ユニット
２０５      第１スキャナ
【図１】
0003771695.tif 000002
【図２】
0003771695.tif 000003
【図３】
0003771695.tif 000004
【図４】
0003771695.tif 000005
【図５】
0003771695.tif 000006
【図６】
0003771695.tif 000007
【図７】
0003771695.tif 000008
【図８】
0003771695.tif 000009
【図９】
0003771695.tif 000010
【図１０】
0003771695.tif 000011
【図１１】
0003771695.tif 000012
【図１２】
0003771695.tif 000013
【図１３】
0003771695.tif 000014
【図１４】
0003771695.tif 000015
【図１５】
0003771695.tif 000016
【図１６】
0003771695.tif 000017